(57)【要約】  ワイヤレス充電器、例えば、充電器における一次コイルと充電器に着座するモバイルデバイスにおける第２のコイルとの間での誘導結合を利用するそれ、の使用及び性能に関する装置及び方法が開示される。特に、ワイヤレス充電器は、ワイヤレスドッキング環境において実装され、モバイルデバイスは、ドッキングホストとドッキングする。一例においては、ワイヤレス充電器は、ワイヤレスドッキングホストと１つのユニットとして一体化される。他の例においては、ワイヤレス充電器は、ドッキングホストによって管理されるワイヤレスドッキング環境における周辺機器である。
2016504900.tif 000002
【特許請求の範囲】
【請求項１】
ドッキングホストによって管理されるドッキング環境と被ドッキング物をドッキングさせるために前記ドッキングホストにおいて動作可能な方法であって、
ワイヤレス充電器への前記被ドッキング物の着座に応じて前記ドッキングホストから前記被ドッキング物に信用情報を送信することと、
前記被ドッキング物との認証／関連付け動作を開始することを求める要求を前記被ドッキング物から受信することと、
前記信用情報に従って前記被ドッキング物を前記ドッキング環境とドッキングさせることと、を備える、方法。
【請求項２】
無線充電回路は、近接場通信のために構成され、信用情報を前記送信することは、前記無線充電回路を利用することを備える請求項１に記載の方法。
【請求項３】
信用情報を前記送信することは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備える請求項１に記載の方法。
【請求項４】
前記被ドッキング物と前記ドッキング環境との前記ドッキングは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備える請求項１に記載の方法。
【請求項５】
前記ワイヤレス充電器は、前記ドッキングホストと一体である請求項１に記載の方法。
【請求項６】
前記被ドッキング物が前記ドッキング環境とドッキングされた状態である間に前記ワイヤレス充電器上において前記被ドッキング物以外のデバイスを受信することと、
前記デバイスとドッキングせずに前記ワイヤレス充電器を利用して前記デバイスを充電することと、をさらに備える請求項１に記載の方法。
【請求項７】
前記被ドッキング物と通信するための通信インタフェースの不活動を示す不活動タイマの時間切れに応答して前記被ドッキング物と前記ドッキング環境との前記ドッキングを終了させることをさらに備える請求項１に記載の方法。
【請求項８】
ドッキングホストによって管理されるドッキング環境とドッキングするために被ドッキング物において動作可能な方法であって、
ワイヤレス充電器への前記被ドッキング物の着座に応じて前記ドッキングホストから信用情報を受信することと、
前記ドッキングホストとの認証／関連付け動作を開始することを求める要求を送信することと、
前記信用情報に従って前記ドッキング環境とドッキングすることと、を備える、方法。
【請求項９】
前記無線充電インタフェースは、近接場通信のために構成され、信用情報を前記受信することは、前記無線充電インタフェースを利用することを備える請求項８に記載の方法。
【請求項１０】
信用情報を前記受信することは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備える請求項８に記載の方法。
【請求項１１】
前記ドッキング環境との前記ドッキングは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備える請求項８に記載の方法。
【請求項１２】
前記ワイヤレス充電器から取り外されている間に前記ドッキング環境との前記ドッキングを維持することをさらに備える請求項８に記載の方法。
【請求項１３】
ドッキングホストによって管理されるドッキング環境と被ドッキング物をドッキングさせるために前記ドッキングホストにおいて動作可能な方法であって、
前記ドッキングホストへの前記被ドッキング物の着座の時点で前記ドッキングホストにおける無線充電回路を前記被ドッキング物と結合させることと、
前記被ドッキング物のドッキング意思を示す情報を、前記ドッキングホストにおける前記無線充電回路から前記ワイヤレスドッキングホストにおけるドッキング回路に送信することと、
前記被ドッキング物の前記ドッキング意思に従って前記被ドッキング物を前記ドッキング環境とドッキングさせることと、を備える、方法。
【請求項１４】
前記無線充電回路は、前記ドッキングホストと一体であるワイヤレス充電器の一部である請求項１３に記載の方法。
【請求項１５】
前記被ドッキング物が前記ドッキング環境とドッキングされた状態である間に前記ワイヤレス充電器上において前記被ドッキング物以外のデバイスを受信することと、
前記デバイスとドッキングせずに前記ワイヤレス充電器を利用して前記デバイスを充電することと、をさらに備える請求項１４に記載の方法。
【請求項１６】
前記被ドッキング物と通信するための通信インタフェースの不活動を示す不活動タイマの時間切れに応答して前記被ドッキング物と前記ドッキング環境との前記ドッキングを終了させることをさらに備える請求項１３に記載の方法。
【請求項１７】
ドッキングホストによって管理されるドッキング環境とドッキングするために被ドッキング物において動作可能な方法であって、
前記ドッキングホストに着座することであって、前記ドッキングホストは、無線充電回路を備えることと、
前記被ドッキング物のドッキング意思に従って前記ドッキング環境とドッキングすることであって、前記ドッキング意思は、前記ドッキングホストへの前記着座によって前記ドッキングホストにシグナリングされることと、を備える、方法。
【請求項１８】
前記ワイヤレス充電器から取り外されている間に前記ドッキング環境との前記ドッキングを維持することをさらに備える請求項１７に記載の方法。
【請求項１９】
ドッキングホストによって管理されるドッキング環境とドッキングするために被ドッキング物において動作可能な方法であって、
前記被ドッキング物におけるワイヤレス充電インタフェースを利用してワイヤレス充電器との結合を確立するために前記ワイヤレス充電器に着座することと、
前記被ドッキング物におけるワイヤレスドッキングホストインタフェースを通じて、前記ワイヤレス充電器への前記着座に応じて前記ドッキングホストに信用情報を送信することと、
前記信用情報に従って前記ドッキング環境とドッキングすることと、を備え、前記ドッキング環境は、前記ワイヤレス充電器を周辺機器として備える、方法。
【請求項２０】
前記ワイヤレスドッキングホストインタフェースは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを備える請求項１９に記載の方法。
【請求項２１】
前記ワイヤレス充電器への前記着座の前に、前記ドッキングホストとの第１のドッキングセッションを確立することと、
前記第１のドッキングセッションに従って前記被ドッキング物において前記信用情報を格納することと、
前記ワイヤレス充電器への前記着座の前に前記第１のドッキングセッションを終了させることと、をさらに備える請求項１９に記載の方法。
【請求項２２】
ワイヤレス充電器を備える周辺機器が被ドッキング物を無線で充電するのを可能にするためにドッキングホストにおいて動作可能な方法であって、
前記ドッキングホストにおいてワイヤレス被ドッキング物インタフェースを利用して前記被ドッキング物とのドッキングセッションを確立することと、
前記被ドッキング物が前記ワイヤレス充電器に着座したことを示す情報を前記ワイヤレス充電器から受信することと、
無線充電機能が認可されていることを示す権限を前記ワイヤレス充電器に送信することと、を備える、方法。
【請求項２３】
前記ワイヤレス被ドッキング物インタフェースは、Ｗｉ−Ｆｉ通信のために構成される請求項２２に記載の方法。
【請求項２４】
モバイルデバイスを無線で充電するためにワイヤレス充電器において動作可能な方法であって、
ドッキングホストと対にすることであって、前記ワイヤレス充電器は、前記ドッキングホストによって管理されるドッキング環境における周辺機器であることと、
前記モバイルデバイスが前記ワイヤレス充電器に着座していると決定することと、
前記モバイルデバイスを無線で充電するための権限を前記ドッキングホストに要求することと、
前記ドッキングホストから前記権限を受信することと、
前記モバイルデバイスを充電するための無線充電機能をイネーブルにすることと、を備える、方法。
【請求項２５】
ドッキングホストによって管理されるドッキング環境と被ドッキング物をドッキングさせるために構成された前記ドッキングホストであって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合されたワイヤレス被ドッキング物インタフェースと、を備え、
前記少なくとも１のプロセッサは、
ワイヤレス充電器への前記被ドッキング物の着座に応じて前記被ドッキング物に信用情報を送信し、
前記被ドッキング物との認証／関連付け動作を開始することを求める要求を前記被ドッキング物から受信し、及び
前記信用情報に従って前記被ドッキング物を前記ドッキング環境とドッキングさせるように構成される、ドッキングホスト。
【請求項２６】
前記無線充電回路は、近接場通信のために構成され、前記少なくとも１つのプロセッサは、信用情報を送信するように構成され、前記信用情報を送信するために前記無線充電回路を利用するようにさらに構成される請求項２５に記載のドッキングホスト。
【請求項２７】
前記少なくとも１つのプロセッサは、
前記被ドッキング物が前記ドッキング環境とドッキングされた状態である間に前記ワイヤレス充電器回路上において前記被ドッキング物以外のデバイスを受信することと、
前記デバイスとドッキングせずに前記ワイヤレス充電回路を利用して前記デバイスを充電するようにさらに構成される請求項２５に記載のドッキングホスト。
【請求項２８】
前記少なくとも１つのプロセッサは、
前記被ドッキング物と通信するための通信インタフェースの不活動を示す不活動タイマの時間切れに応答して前記被ドッキング物と前記ドッキング環境との前記ドッキングを終了させるようにさらに構成される請求項２５に記載のドッキングホスト。
【請求項２９】
ドッキングホストによって管理されるドッキング環境とドッキングするために構成された被ドッキング物であって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合された通信インタフェースと、を備え、
前記少なくとも１のプロセッサは、
ワイヤレス充電器への前記被ドッキング物の着座に応じて前記ドッキングホストから信用情報を受信し、
前記ドッキングホストとの認証／関連付け動作を開始することを求める要求を送信し、及び
前記信用情報に従って前記ドッキング環境とドッキングするように構成される、被ドッキング物。
【請求項３０】
前記無線充電回路は、近接場通信のために構成され、信用情報を前記受信することは、前記無線充電インタフェースを利用することを備える請求項２９に記載の被ドッキング物。
【請求項３１】
前記少なくとも１つのプロセッサは、前記ワイヤレス充電器から取り外されている間に前記ドッキング環境との前記ドッキングを維持するようにさらに構成される請求項２９に記載の被ドッキング物。
【請求項３２】
ドッキングホストによって管理されるドッキング環境と被ドッキング物をドッキングさせるために構成される前記ドッキングホストであって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合されたワイヤレス被ドッキング物インタフェースと、を備え、
前記少なくとも１のプロセッサは、
前記ドッキングホストへの前記被ドッキング物の着座の時点で前記無線充電回路を前記被ドッキング物と結合させ、
前記無線充電回路と前記被ドッキング物の前記結合に対応して前記被ドッキング物のドッキング意思を決定し、及び
前記被ドッキング物の前記ドッキング意思に従って前記被ドッキング物を前記ドッキング環境とドッキングさせるように構成される、ドッキングホスト。
【請求項３３】
前記少なくとも１つのプロセッサは、
前記被ドッキング物が前記ドッキング環境とドッキングされた状態である間に前記ワイヤレス充電回路上において前記被ドッキング物以外のデバイスを受信し、
前記デバイスとドッキングせずに前記ワイヤレス充電器を利用して前記デバイスを充電するようにさらに構成される請求項３２に記載のドッキングホスト。
【請求項３４】
前記少なくとも１つのプロセッサは、
前記被ドッキング物と通信するための通信インタフェースの不活動を示す不活動タイマの時間切れに応答して前記被ドッキング物と前記ドッキング環境との間での前記ドッキングを終了させるようにさらに構成される請求項３２に記載のドッキングホスト。
【請求項３５】
ドッキングホストによって管理されるドッキング環境とドッキングするために構成された被ドッキング物であって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合された通信インタフェースと、を備え、
前記少なくとも１のプロセッサは、
前記ドッキングホストに着座するように構成され、ここにおいて、前記ドッキングホストは、無線充電回路を備え、及び
前記被ドッキング物のドッキング意思に従って前記ドッキング環境とドッキングするように構成され、ここにおいて、前記ドッキング意思は、前記ドッキングホストへの前記着座によって前記ドッキングホストにシグナリングされる、被ドッキング物。
【請求項３６】
前記少なくとも１つのプロセッサは、前記ワイヤレス充電器から取り外されている間に前記ドッキング環境との前記ドッキングを維持するようにさらに構成される請求項３５に記載の被ドッキング物。
【請求項３７】
ドッキングホストによって管理されるドッキング環境とドッキングするために構成された被ドッキング物であって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記ドッキングホストと通信するために前記少なくとも１つのプロセッサに通信可能な形で結合された通信インタフェースと、を備え、
前記少なくとも１のプロセッサは、
前記被ドッキング物における無線充電インタフェースを利用してワイヤレス充電器との結合を確立するために前記ワイヤレス充電器に着座し、
前記被ドッキング物における無線ドッキングホストインタフェースを通じて、前記ワイヤレス充電器への前記着座に応じて前記ドッキングホストに信用情報を送信し、及び
前記信用情報に従って前記ドッキング環境とドッキングするように構成され、
前記ドッキング環境は、前記ワイヤレス充電器を周辺機器として備える、被ドッキング物。
【請求項３８】
前記少なくとも１つのプロセッサは、
前記ワイヤレス充電器に前記着座する前に、前記ドッキングホストとの第１のドッキングセッションを確立し、
前記第１のドッキングセッションに従って前記メモリにおいて前記信用情報を格納し、及び
前記ワイヤレス充電器への前記着座前に前記第１のドッキングセッションを終了させるようにさらに構成される請求項３７に記載の被ドッキング物。
【請求項３９】
ワイヤレス充電器を備える周辺機器が被ドッキング物を無線で充電するのを可能にするために構成されたドッキングホストであって、
少なくとも１つのプロセッサと、
前記少なくとも１つのプロセッサに通信可能な形で結合されたメモリと、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記ワイヤレス充電器と通信するために前記少なくとも１つのプロセッサに通信可能な形で結合された通信インタフェースと、を備え、
前記少なくとも１のプロセッサは、
前記被ドッキング物とのドッキングセッションを確立し、
前記被ドッキング物が前記ワイヤレス充電器に着座したことを示す情報を前記ワイヤレス充電器から受信し、及び
無線充電機能が認可されていることを示す権限を前記ワイヤレス充電器に送信するように構成される、ドッキングホスト。
【請求項４０】
モバイルデバイスを無線で充電するために構成されたワイヤレス充電器であって、
少なくとも１つのプロセッサと、
前記少なくとも１つのプロセッサに通信可能な形で結合されたメモリと、
ドッキングホストと無線で通信するために前記少なくとも１つのプロセッサに通信可能な形で結合された通信インタフェースと、
前記モバイルデバイスを無線で充電するために前記少なくとも１つのプロセッサに通信可能な形で結合された無線充電回路と、を備え、
前記少なくとも１のプロセッサは、
前記ドッキングホストと対にするように構成され、前記ワイヤレス充電器は、前記ドッキングホストによって管理されるドッキング環境における周辺機器であり、
前記モバイルデバイスが前記ワイヤレス充電器に着座していると決定するように構成され、
前記モバイルデバイスを無線で充電するための権限を前記ドッキングホストに要求するように構成され、
前記ドッキングホストから前記権限を受信するように構成され、及び
前記モバイルデバイスを充電するための無線充電機能をイネーブルにするように構成される、ワイヤレス充電器。
【請求項４１】
ドッキングホストによって管理されるドッキング環境と被ドッキング物をドッキングさせるために構成される前記ドッキングホストであって、
ワイヤレス充電器への前記被ドッキング物の着座に応じて前記ドッキングホストから前記被ドッキング物に信用情報を送信するための手段と、
前記被ドッキング物との認証／関連付け動作を開始することを求める要求を前記被ドッキング物から受信するための手段と、
前記信用情報に従って前記被ドッキング物を前記ドッキング環境とドッキングさせるための手段と、を備える、ドッキングホスト。
【請求項４２】
ドッキングホストによって管理されるドッキング環境とドッキングするために構成された被ドッキング物であって、
ワイヤレス充電器への前記被ドッキング物の着座に応じて前記ドッキングホストから信用情報を受信するための手段と、
前記ドッキングホストとの認証／関連付け動作を開始することを求める要求を送信するための手段と、
前記信用情報に従って前記ドッキング環境とドッキングするための手段と、を備える、被ドッキング物。
【請求項４３】
ドッキングホストによって管理されるドッキング環境と被ドッキング物をドッキングさせるために構成された前記ドッキングホストであって、
前記ドッキングホストへの前記被ドッキング物の着座の時点で前記ドッキングホストにおける無線充電回路を前記被ドッキング物と結合させるための手段と、
前記被ドッキング物のドッキング意思を示す情報を前記ワイヤレスドッキングホストに送信するための手段と、
前記被ドッキング物の前記ドッキング意思に従って前記被ドッキング物を前記ドッキング環境とドッキングさせるための手段と、を備える、ドッキングホスト。
【請求項４４】
ドッキングホストによって管理されるドッキング環境とドッキングするために構成された被ドッキング物であって、
前記ドッキングホストに着座するための手段であって、前記ドッキングホストは、無線充電回路を備える手段と、
前記被ドッキング物のドッキング意思に従って前記ドッキング環境とドッキングするための手段であって、前記ドッキング意思は、前記ドッキングホストへの前記着座によって前記ドッキングホストにシグナリングされる手段と、を備える、被ドッキング物。
【請求項４５】
ドッキングホストによって管理されるドッキング環境とドッキングするために構成された被ドッキング物であって、
前記被ドッキング物における無線充電インタフェースを利用してワイヤレス充電器との結合を確立するために前記ワイヤレス充電器に着座するための手段と、
前記被ドッキング物におけるワイヤレスドッキングホストインタフェースを通じて、前記ワイヤレス充電器への前記着座に応じて前記ドッキングホストに信用情報を送信するための手段と、
前記信用情報に従って前記ドッキング環境とドッキングするための手段と、を備え、前記ドッキング環境は、前記ワイヤレス充電器を周辺機器して備える、被ドッキング物。
【請求項４６】
ワイヤレス充電器を備える周辺機器が被ドッキング物を無線で充電するのを可能にするために構成されたドッキングホストであって、
前記ドッキングホストにおいてワイヤレス被ドッキング物インタフェースを利用して前記被ドッキング物とのドッキングセッションを確立するための手段と、
前記被ドッキング物が前記ワイヤレス充電器に着座したことを示す情報を前記ワイヤレス充電器から受信するための手段と、
無線充電機能が認可されていることを示す権限を前記ワイヤレス充電器に送信するための手段と、を備える、ドッキングホスト。
【請求項４７】
モバイルデバイスを無線で充電するために構成されたワイヤレス充電器であって、
ドッキングホストと対にするための手段であって、前記ワイヤレス充電器は、前記ドッキングホストによって管理されるドッキング環境における周辺機器である手段と、
前記モバイルデバイスが前記ワイヤレス充電器に着座していると決定するための手段と、
前記モバイルデバイスを無線で充電するための権限を前記ドッキングホストに要求するための手段と、
前記ドッキングホストから前記権限を受信するための手段と、
前記モバイルデバイスを充電するための無線充電機能をイネーブルにするための手段と、を備える、ワイヤレス充電器。
【請求項４８】
前記ドッキングホストによって管理されるドッキング環境と被ドッキング物をドッキングさせるために構成された前記ドッキングホストにおいて動作可能なコンピュータによって読み取り可能な記憶媒体であって、
ワイヤレス充電器への前記被ドッキング物の着座に応じて前記ドッキングホストから前記被ドッキング物に信用情報を送信することをコンピュータに行わせるための命令と、
前記被ドッキング物との認証／関連付け動作を開始することを求める要求を前記被ドッキング物から受信することをコンピュータに行わせるための命令と、
前記信用情報に従って前記被ドッキング物を前記ドッキング環境とドッキングさせることをコンピュータに行わせるための命令と、を備える、コンピュータによって読み取り可能な記憶媒体。
【請求項４９】
ドッキングホストによって管理されるドッキング環境とドッキングするために構成された被ドッキング物において動作可能なコンピュータによって読み取り可能な記憶媒体であって、
ワイヤレス充電器への前記被ドッキング物の着座に応じて前記ドッキングホストから信用情報を受信することをコンピュータに行わせるための命令と、
前記ドッキングホストとの認証／関連付け動作を開始することを求める要求を送信することをコンピュータに行わせるための命令と、
前記信用情報に従って前記ドッキング環境とドッキングすることをコンピュータに行わせるための命令と、を備える、コンピュータによって読み取り可能な記憶媒体。
【請求項５０】
ドッキングホストによって管理されるドッキング環境と被ドッキング物をドッキングさせるために構成された前記ドッキングホストにおいて動作可能なコンピュータによって読み取り可能な記憶媒体であって、
前記ドッキングホストへの前記被ドッキング物の着座の時点で前記ドッキングホストにおける無線充電回路を前記被ドッキング物と結合させることをコンピュータに行わせるための命令と、
前記被ドッキング物のドッキング意思を示す情報を前記ワイヤレスドッキングホストに送信することをコンピュータに行わせるための命令と、
前記被ドッキング物の前記ドッキング意思に従って前記被ドッキング物を前記ドッキング環境とドッキングさせることをコンピュータに行わせるための命令と、を備える、コンピュータによって読み取り可能な記憶媒体。
【請求項５１】
ドッキングホストによって管理されるドッキング環境とドッキングするために構成された被ドッキング物において動作可能なコンピュータによって読み取り可能な記憶媒体であって、
前記被ドッキング物のドッキング意思に従って前記ドッキング環境とドッキングすることをコンピュータに行わせるための命令であって、前記ドッキング意思は、前記ドッキングホストへの前記着座によって前記ドッキングホストにシグナリングされる命令、を備える、コンピュータによって読み取り可能な記憶媒体。
【請求項５２】
ドッキングホストによって管理されるドッキング環境とドッキングするために構成された被ドッキング物において動作可能なコンピュータによって読み取り可能な記憶媒体あって、
前記被ドッキング物における無線充電インタフェースを利用してワイヤレス充電器との結合を確立するために前記ワイヤレス充電器に着座することをコンピュータ行わせるための命令と、
前記被ドッキング物におけるワイヤレスドッキングホストインタフェースを通じて、前記ワイヤレス充電器への前記着座に応じて前記ドッキングホストに信用情報を送信することをコンピュータに行わせるための命令と、
前記信用情報に従って前記ドッキング環境とドッキングすることをコンピュータに行わせるための命令と、を備え、
前記ドッキング環境は、前記ワイヤレス充電器を周辺機器として備える、コンピュータによって読み取り可能な記憶媒体。
【請求項５３】
ワイヤレス充電器を備える周辺機器が被ドッキング物を無線で充電するのを可能にするために構成されたドッキングホストにおいて動作可能なコンピュータによって読み取り可能な記憶媒体であって、
前記ドッキングホストにおけるワイヤレス被ドッキング物インタフェースを利用して前記被ドッキング物とのドッキングセッションを確立することをコンピュータに行わせるための命令と、
前記被ドッキング物が前記ワイヤレス充電器に着座したことを示す情報を前記ワイヤレス充電器から受信することをコンピュータに行わせるための命令と、
無線充電機能が認可されていることを示す権限を前記ワイヤレス充電器に送信することをコンピュータに行わせるための命令と、を備える、コンピュータによって読み取り可能な記憶媒体。
【請求項５４】
モバイルデバイスを無線で充電するために構成されたワイヤレス充電器において動作可能なコンピュータによって読み取り可能な記憶媒体であって、
ドッキングホストと対にすることをコンピュータに行わせるための命令であって、前記ワイヤレス充電器は、前記ドッキングホストによって管理されるドッキング環境における周辺機器である命令と、
前記モバイルデバイスが前記ワイヤレス充電器に着座していると決定することをコンピュータに行わせるための命令と、
前記モバイルデバイスを無線で充電するための権限を前記ドッキングホストに要求することをコンピュータに行わせるための命令と、
前記ドッキングホストから前記権限を受信することをコンピュータに行わせるための命令と、
前記モバイルデバイスを充電するための無線充電機能をイネーブルにすることをコンピュータに行わせるための命令と、を備える、コンピュータによって読み取り可能な記憶媒体。
【発明の詳細な説明】
【技術分野】
【０００１】
関連出願の相互参照
［０００１］本出願は、“Apparatus and Methods for Utilizing a Wireless Charger in a Wireless Docking Environment”（ワイヤレスドッキング環境においてワイヤレス充電器を利用するための装置及び方法）という題名を有する仮特許出願第６１／７３３，３９５号（出願日：２０１２年１２月４日：米国特許商標局）に対する優先権及びその利益を主張するものであり、その内容全体がここにおける引用によってここにおいて組み入れられている。
【０００２】
［０００２］本開示の態様は、概して、ワイヤレスドッキングシステムに関するものであり、より具体的には、ワイヤレスドッキング環境においてワイヤレス充電器を利用するための装置及び方法に関するものである。
【背景技術】
【０００３】
［０００３］様々な通信サービス、例えば、テレフォニー、映像、データ、メッセージング、放送、等、を提供することを目的として無線通信ネットワークが広範囲にわたって配備されている。該ネットワークは、通常は多元接続ネットワークであり、利用可能なネットワークリソースを共有することによって複数のユーザのための通信をサポートする。
【０００４】
［０００４］最近の関心は、ＷＬＡＮ接続性、そして特にワイヤレスドッキングシステム、に向けられている。ワイヤレスドッキングシステムは、ドッキングホストを通じて、ポータブルデバイス（“被ドッキング物”“ｄｏｃｋｅｅ”）例えば、モバイルハンドセット、ＰＤＡ、タブレットコンピュータ、等と、周辺機器のグループ、との間でのシームレスな接続性を提供することができる。すなわち、ドッキングホストは、被ドッキング物と周辺機器との間を仲介することができる。ここで、周辺機器は、数多くのタイプ、例えば、マウス、キーボード、ディスプレイ、プリンタ、カメラ、スピーカー、大量記憶装置、メディアサーバ、センサ、及び数多くのその他のうちのいずれかであることができる。
【０００５】
［０００５］他方、ワイヤレス充電器は当業において知られており、バッテリ式デバイスとワイヤレス充電器との間での物理的な接続又はプラグなしでバッテリ式デバイスを充電する能力を提供する。例えば、誘導式充電を利用することができ、ここにおいて、各デバイスにおける各々のコイル間での誘導式結合を通じてワイヤレス充電器からバッテリ式デバイスにエネルギーが伝達される。文献では、該デバイスは、無接点エネルギー伝達デバイスと呼ぶこともできる。
【０００６】
［０００６］モバイルブロードバンドアクセスを求める要求が増大し続けるのに応じて、モバイルブロードバンドアクセスを求める要求の増大を満たすためだけでなく、モバイル通信に関するユーザの経験を促進させかつ高めるために無線技術を進歩させることを目的とした研究開発が継続されている。
【発明の概要】
【０００７】
［０００７］以下は、本開示の１つ以上の態様についての基本的な理解を提供することを目的として該態様の単純化された概要を示すものである。この概要は、本開示のすべての企図される特徴の広範な概略ではなく、又、本開示の全態様の主要な又は非常に重要な要素を特定するわけではないこと、及び本開示の態様のいずれの態様の適用範囲も詳述はせず及び全態様の適用範囲を詳述するわけではないことが意図される。それの唯一の目的は、後述されるより詳細な発明を実施するための形態の準備段階として、本開示の１つ以上の態様の幾つかの概念を簡略化された形で提示することである。
【０００８】
［０００８］本開示の様々な態様は、ワイヤレス充電器を含むワイヤレスドッキング環境を動作させる装置及び方法を提供する。
【０００９】
［０００９］例えば、一態様においては、本開示は、ドッキングホストによって管理されるドッキング環境と被ドッキング物をドッキングさせるためにドッキングホストにおいて動作可能な方法を提供する。ここで、方法は、ワイヤレス充電器への被ドッキング物の着座（ｌａｎｄｉｎｇ）に応じてドッキングホストから被ドッキング物に信用情報を送信するステップと、被ドッキング物との認証／関連付け動作を開始することを求める要求を被ドッキング物から受信するステップと、信用情報に従って被ドッキング物をドッキング環境とドッキングさせるステップと、を含む。
【００１０】
［００１０］他の態様においては、本開示は、ドッキングホストによって管理されるドッキング環境とドッキングするために被ドッキング物において動作可能な方法を提供する。ここで、方法は、ワイヤレス充電器への被ドッキング物の着座に応じてドッキングホストから信用情報を受信するステップと、ドッキングホストとの認証／関連付け動作を開始することを求める要求を送信するステップと、信用情報に従ってドッキング環境とドッキングするステップと、を含む。
【００１１】
［００１１］他の態様においては、本開示は、ドッキングホストによって管理されるドッキング環境と被ドッキング物をドッキングさせるためにドッキングホストにおいて動作可能な方法を提供する。ここで、方法は、ドッキングホストへの被ドッキング物の着座の時点でドッキングホストにおける無線充電回路を被ドッキング物と結合させるステップと、ドッキングホストにおける無線充電回路からワイヤレスドッキングホストにおけるドッキング回路に、被ドッキング物のドッキング意思を示す情報を送信するステップと、被ドッキング物のドッキング意思に従って被ドッキング物をドッキング環境とドッキングさせるステップと、を含む。
【００１２】
［００１２］他の態様においては、本開示は、ドッキングホストによって管理されるドッキング環境とドッキングするために被ドッキング物において動作可能な方法を提供する。ここで、方法は、ドッキングホストに着座するステップであって、ドッキングホストは、無線充電回路を備えるステップと、被ドッキング物のドッキング意思に従ってドッキング環境とドッキングするステップであって、ドッキング意思は、ドッキングホストへの着座によってドッキングホストにシグナリングされるステップと、を含む。
【００１３】
［００１３］他の態様においては、本開示は、ドッキングホストによって管理されるドッキング環境とドッキングするために被ドッキング物において動作可能な方法を提供する。ここで、方法は、被ドッキング物におけるワイヤレス充電インタフェースを利用してワイヤレス充電器との結合を確立するためにワイヤレス充電器に着座するステップと、被ドッキング物におけるワイヤレスドッキングホストインタフェースを通じて、ワイヤレス充電器への着座に応じてドッキングホストに信用情報を送信するステップと、信用情報に従ってドッキング環境とドッキングするステップであって、ドッキング環境は、ワイヤレス充電器を周辺機器として備えるステップと、を含む。
【００１４】
［００１４］他の態様においては、本開示は、ワイヤレス充電器を備える周辺機器が被ドッキング物を無線で充電するのを可能にするためにドッキングホストにおいて動作可能な方法を提供する。ここで、方法は、ドッキングホストにおけるワイヤレス被ドッキング物インタフェースを利用して被ドッキング物とのドッキングセッションを確立するステップと、被ドッキング物がワイヤレス充電器に着座したことを示す情報をワイヤレス充電器から受信するステップと、無線充電機能が認可されていることを示す権限をワイヤレス充電器に送信するステップと、を含む。
【００１５】
［００１５］他の態様においては、本開示は、モバイルデバイスを無線で充電するためにワイヤレス充電器において動作可能な方法を提供する。ここで、方法は、ドッキングホストと対にするステップであって、ワイヤレス充電器は、ドッキングホストによって管理されるドッキング環境における周辺機器であるステップと、モバイルデバイスがワイヤレス充電器に着座していると決定するステップと、モバイルデバイスを無線で充電するための権限をドッキングホストに要求するステップと、ドッキングホストから権限を受信するステップと、モバイルデバイスを充電するための無線充電機能をイネーブルにするステップと、を含む。
【００１６】
［００１６］他の態様においては、本開示は、ドッキングホストによって管理されるドッキング環境と被ドッキング物をドッキングさせるために構成されたドッキングホストを提供する。ここで、ドッキングホストは、少なくとも１つのプロセッサと、少なくとも１つのプロセッサに通信可能な形で結合されたメモリと、被ドッキング物を無線で充電するために少なくとも１つのプロセッサに通信可能な形で結合された無線充電回路と、Ｂｌｕｅｔｏｏｔｈ（登録商標）  Ｌｏｗ  Ｅｎｅｒｇｙ（ＢＴＬＥ）プロトコル又はＷｉ−Ｆｉプロトコルのうちの１つを利用して被ドッキング物と通信するために少なくとも１つのプロセッサに通信可能な形で結合されたワイヤレス被ドッキング物インタフェースと、を含む。少なくとも１つのプロセッサは、ワイヤレス充電器への被ドッキング物の着座に応じて被ドッキング物に信用情報を送信し、被ドッキング物との認証／関連付け動作を開始することを求める要求を被ドッキング物から受信し、信用情報に従って被ドッキング物をドッキング環境とドッキングさせるように構成される。
【００１７】
［００１７］他の態様においては、本開示は、ドッキングホストによって管理されるドッキング環境とドッキングするために構成された被ドッキング物を提供する。ここで、被ドッキング物は、少なくとも１つのプロセッサと、少なくとも１つのプロセッサに通信可能な形で結合されたメモリと、被ドッキング物を無線で充電するために少なくとも１つのプロセッサに通信可能な形で結合された無線充電回路と、Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用してドッキングホストと通信するために少なくとも１つのプロセッサに通信可能な形で結合された通信インタフェースと、を含む。少なくとも１つのプロセッサは、ワイヤレス充電器への被ドッキング物の着座に応じてドッキングホストから信用情報を受信し、ドッキングホストとの認証／関連付け動作を開始することを求める要求を送信し、信用情報に従ってドッキング環境とドッキングするように構成される。
【００１８】
［００１８］他の態様においては、本開示は、ドッキングホストによって管理されるドッキング環境と被ドッキング物をドッキングさせるために構成されたドッキングホストを提供する。ここで、ドッキングホストは、少なくとも１つのプロセッサと、少なくとも１つのプロセッサに通信可能な形で結合されたメモリと、被ドッキング物を無線で充電するために少なくとも１つのプロセッサに通信可能な形で結合された無線充電回路と、Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して被ドッキング物と通信するために少なくとも１つのプロセッサに通信可能な形で結合されたワイヤレス被ドッキング物インタフェースと、を含む。少なくとも１のプロセッサは、ドッキングホストへの被ドッキング物の着座の時点で無線充電回路を被ドッキング物と結合させ、被ドッキング物との無線充電回路の結合に対応して被ドッキング物のドッキング意思を決定し、被ドッキング物のドッキング意思に従って被ドッキング物をドッキング環境とドッキングさせるように構成される。
【００１９】
［００１９］他の態様おいては、本開示は、ドッキングホストによって管理されるドッキング環境とドッキングするために構成された被ドッキング物を提供する。ここで、被ドッキング物は、少なくとも１つのプロセッサと、少なくとも１つのプロセッサに通信可能な形で結合されたメモリと、被ドッキング物を無線で充電するために少なくとも１つのプロセッサに通信可能な形で結合された無線充電回路と、Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用してドッキングホストと通信するために少なくとも１つのプロセッサに通信可能な形で結合された通信インタフェースと、を含む。少なくとも１のプロセッサは、ドッキングホストに着座するように構成され、ここにおいて、ドッキングホストは、無線充電回路を備え、及び、被ドッキング物のドッキング意思に従ってドッキング環境とドッキングするように構成され、ここにおいて、ドッキング意思は、ドッキングホストへの着座によってドッキングホストにシグナリングされる。
【００２０】
［００２０］他の態様においては、本開示は、ドッキングホストによって管理されるドッキング環境とドッキングするために構成された被ドッキング物を提供する。ここで、被ドッキング物は、少なくとも１つのプロセッサと、少なくとも１つのプロセッサに通信可能な形で結合されたメモリと、被ドッキング物を無線で充電するために少なくとも１つのプロセッサに通信可能な形で結合された無線充電回路と、Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用してドッキングホストと通信するために少なくとも１つのプロセッサに通信可能な形で結合された通信インタフェースと、を含む。少なくとも１のプロセッサは、被ドッキング物における無線充電インタフェースを利用してワイヤレス充電器との結合を確立するためにワイヤレス充電器に着座し、被ドッキング物におけるワイヤレスドッキングホストインタフェースを通じて、ワイヤレス充電器への着座に応じてドッキングホストに信用情報を送信し、信用情報に従ってドッキング環境とドッキングするように構成され、ドッキング環境は、ワイヤレス充電器を周辺機器として備える。
【００２１】
［００２１］他の態様においては、本開示は、ワイヤレス充電器を備える周辺機器が被ドッキング物を無線で充電するのを可能にするために構成されたドッキングホストを提供する。ここで、ドッキングホストは、少なくとも１つのプロセッサと、少なくとも１つのプロセッサに通信可能な形で結合されたメモリと、Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用してワイヤレス充電器と通信するために少なくとも１つのプロセッサに通信可能な形で結合された通信インタフェースと、を含む。少なくとも１のプロセッサは、被ドッキング物とのドッキングセッションを確立し、被ドッキング物がワイヤレス充電器に着座したこと示す情報をワイヤレス充電器から受信し、及び、無線充電機能が認可されていることを示す権限をワイヤレス充電器に送信するように構成される。
【００２２】
［００２２］他の態様においては、本開示は、モバイルデバイスを無線で充電するために構成されたワイヤレス充電器を提供する。ここで、ワイヤレス充電器は、少なくとも１つのプロセッサと、少なくとも１つのプロセッサに通信可能な形で結合されたメモリと、ドッキングホストと無線で通信するために少なくとも１つのプロセッサに通信可能な形で結合された通信インタフェースと、モバイルデバイスを無線で充電するために少なくとも１つのプロセッサに通信可能な形で結合された無線充電回路と、を含む。少なくとも１つのプロセッサは、ドッキングホストと対になるように構成され、ワイヤレス充電器は、ドッキングホストによって管理されるドッキング環境における周辺機器であり、モバイルデバイスがワイヤレス充電器に着座していると決定するように構成され、モバイルデバイスを無線で充電するための権限をドッキングホストに要求するように構成され、ドッキングホストから権限を受信するように構成され、及びモバイルデバイスを充電するための無線充電機能をイネーブルにするように構成される。
【００２３】
［００２３］他の態様においては、本開示は、ドッキングホストによって管理されるドッキング環境と被ドッキング物をドッキングさせるために構成されたドッキングホストを提供し、ワイヤレス充電器への被ドッキング物の着座に応じてドッキングホストから被ドッキング物に信用情報を送信するための手段と、被ドッキング物との認証／関連付け動作を開始することを求める要求を被ドッキング物から受信するための手段と、信用情報に従って被ドッキング物をドッキング環境とドッキングさせるための手段と、を含む。
【００２４】
［００２４］他の態様においては、本開示は、ドッキングホストによって管理されるドッキング環境とドッキングするために構成された被ドッキング物を提供し、ワイヤレス充電器への被ドッキング物の着座に応じてドッキングホストから信用情報を受信するための手段と、ドッキングホストとの認証／関連付け動作を開始することを求める要求を送信するための手段と、信用情報に従ってドッキング環境とドッキングするための手段と、を含む。
【００２５】
［００２５］他の態様においては、本開示は、ドッキングホストによって管理されるドッキング環境と被ドッキング物をドッキングさせるために構成されたドッキングホストを提供し、ドッキングホストへの被ドッキング物の着座の時点でドッキングホストにおける無線充電回路を被ドッキング物と結合させるための手段と、被ドッキング物のドッキング意思を示す情報をワイヤレスドッキングホストに送信するための手段と、被ドッキング物のドッキング意思に従ってドッキング環境と被ドッキング物をドッキングさせるための手段と、を含む。
【００２６】
［００２６］他の態様においては、本開示は、ドッキングホストによって管理されるドッキング環境とドッキングするために構成された被ドッキング物を提供し、ドッキングホストに着座するための手段であって、ドッキングホストは、無線充電回路を備える手段と、被ドッキング物のドッキング意思に従ってドッキング環境とドッキングするための手段であって、ドッキング意思は、ドッキングホストへの着座によってドッキングホストにシグナリングされる手段と、を含む。
【００２７】
［００２７］他の態様においては、本開示は、ドッキングホストによって管理されるドッキング環境とドッキングするために構成された被ドッキング物を提供し、被ドッキング物における無線充電インタフェースを利用してワイヤレス充電器との結合を確立するためにワイヤレス充電器に着座するための手段と、被ドッキング物における無線ドッキングホストインタフェースを通じて、ワイヤレス充電器への着座に応じてドッキングホストに信用情報を送信するための手段と、信用情報に従ってドッキング環境とドッキングするための手段であって、ドッキング環境は、ワイヤレス充電器を周辺機器として備える手段と、を含む。
【００２８】
［００２８］他の態様においては、本開示は、ワイヤレス充電器を備える周辺機器が被ドッキング物を無線で充電することを可能にするために構成されたドッキングホストを提供し、ドッキングホストにおけるワイヤレス被ドッキング物インタフェースを利用して被ドッキング物とのドッキングセッションを確立するための手段と、被ドッキング物がワイヤレス充電器に着座したことを示す情報をワイヤレス充電器から受信するための手段と、無線充電機能が認可されていることを示す権限をワイヤレス充電器に送信するための手段と、を含む。
【００２９】
［００２９］他の態様においては、本開示は、モバイルデバイスを無線で充電するために構成されたワイヤレス充電器を提供し、ドッキングホストと対になるための手段であって、ワイヤレス充電器は、ドッキングホストによって管理されるドッキング環境における周辺機器である手段と、モバイルデバイスがワイヤレス充電器に着座していると決定するための手段と、モバイルデバイスを無線で充電するための権限をドッキングホストに要求するための手段と、ドッキングホストから権限を受信するための手段と、モバイルデバイスを充電するための無線充電機能をイネーブルにするための手段と、を含む。
【００３０】
［００３０］他の態様においては、本開示は、ドッキングホストによって管理されるドッキング環境と被ドッキング物をドッキングさせるために構成されたドッキングホストにおいて動作可能であるコンピュータによって読み取り可能な記憶媒体を提供し、ワイヤレス充電器への被ドッキング物の着座に応じてドッキングホストから被ドッキング物に信用情報を送信することをコンピュータに行わせるための命令と、被ドッキング物との認証／関連付け動作を開始することを求める要求を被ドッキング物から受信することをコンピュータに行わせるための命令と、信用情報に従って被ドッキング物をドッキング環境とドッキングさせることをコンピュータに行わせるための命令と、を含む。
【００３１】
［００３１］他の態様においては、本開示は、ドッキングホストによって管理されるドッキング環境とドッキングするために構成された被ドッキング物において動作可能なコンピュータによって読み取り可能な記憶媒体を提供し、ワイヤレス充電器への被ドッキング物の着座に応じてドッキングホストから信用情報を受信することをコンピュータに行わせるための命令と、ドッキングホストとの認証／関連付け動作を開始することを求める要求を送信することをコンピュータに行わせるための命令と、信用情報に従ってドッキング環境とドッキングすることをコンピュータ行わせるための命令と、を含む。
【００３２】
［００３２］他の態様においては、本開示は、ドッキングホストによって管理されるドッキング環境と被ドッキング物をドッキングさせるために構成されたドッキングホストにおいて動作可能なコンピュータによって読み取り可能な記憶媒体を提供し、ドッキングホストにおける被ドッキング物の着座の時点でドッキングホストにおける無線充電回路を被ドッキング物と結合させることをコンピュータに行わせるための命令と、被ドッキング物のドッキング意思を示す情報をワイヤレスドッキングホストに送信することをコンピュータに行わせるための命令と、被ドッキング物のドッキング意思に従ってドッキング環境と被ドッキング物をドッキングさせることをコンピュータに行わせるための命令と、を含む。
【００３３】
［００３３］他の態様においては、本開示は、ドッキングホストによって管理されるドッキング環境とドッキングするために構成された被ドッキング物において動作可能なコンピュータによって読み取り可能な記憶媒体を提供し、被ドッキング物のドッキング意思に従ってドッキング環境とドッキングすることをコンピュータに行わせるための命令を含み、ドッキング意思は、被ドッキング物がドッキングホストに着座することによってドッキングホストにシグナリングされる。
【００３４】
［００３４］他の態様においては、本開示は、ドッキングホストによって管理されるドッキング環境とドッキングするために構成された被ドッキング物において動作可能なコンピュータによって読み取り可能な記憶媒体を提供し、被ドッキング物における無線充電インタフェースを利用してワイヤレス充電器との結合を確立するためにワイヤレス充電器に着座することをコンピュータに行わせるための命令と、被ドッキング物におけるワイヤレスドッキングホストインタフェースを通じて、ワイヤレス充電器への着座に応じてドッキングホストに信用情報を送信することをコンピュータに行わせるための命令と、信用情報に従ってドッキング環境とドッキングすることをコンピュータに行わせるための命令と、を含み、ドッキング環境は、ワイヤレス充電器を周辺機器として備える。
【００３５】
［００３５］他の態様においては、本開示は、ワイヤレス充電器を備える周辺機器が被ドッキング物を無線で充電するのを可能にするために構成されたドッキングホストにおいて動作可能なコンピュータによって読み取り可能な記憶媒体を提供し、ドッキングホストにおけるワイヤレス被ドッキング物インタフェースを利用して被ドッキング物とのドッキングセッションを確立することをコンピュータに行わせるための命令と、被ドッキング物がワイヤレス充電器に着座したこと示す情報をワイヤレス充電器から受信することをコンピュータに行わせるための命令と、無線充電機能が認可されていることを示す権限をワイヤレス充電器に送信することをコンピュータに行わせるための命令と、を含む。
【００３６】
［００３６］他の態様においては、本開示は、モバイルデバイスを無線で充電するために構成されたワイヤレス充電器において動作可能なコンピュータによって読み取り可能な記憶媒体を提供し、ドッキングホストと対になるようにすることをコンピュータに行わせるための命令であって、ワイヤレス充電器は、ドッキングホストによって管理されるドッキング環境における周辺機器である命令と、モバイルデバイスがワイヤレス充電器に着座していると決定することをコンピュータに行わせるための命令と、モバイルデバイスを無線で充電するための権限をドッキングホストに要求することをコンピュータに行わせるための命令と、ドッキングホストから権限を受信することをコンピュータに行わせるための命令と、モバイルデバイスを充電するための無線充電機能をイネーブルにすることをコンピュータに行わせるための命令とを含む。
【００３７】
［００３７］本発明のこれらの及びその他の態様は、後続する発明を実施するための形態を検討した時点でより完全に理解されるであろう。本発明の特定の、典型的な実施形態に関する以下の説明を添付される図と関連させて検討した時点で、本発明のその他の態様、特徴、及び実施形態が当業者に明らかになるであろう。本発明の特徴は、幾つかの実施形態及び以下の図に関して論じることができる一方で、本発明のすべての実施形態は、ここにおいて論じられる有利な特徴のうちの１つ以上を含むことができる。換言すると、１つ以上の実施形態は、幾つかの有利な特徴を有するとして論じることができる一方で、該特徴のうちの１つ以上は、ここにおいて論じられる本発明の様々な実施形態に従って使用することもできる。このように、典型的な実施形態は、以下においては、デバイス、システム、又は方法に関する実施形態として論じることができる一方で、該典型的な実施形態は、様々なデバイス、システム、及び方法において実装可能であることが理解されるべきである。
【図面の簡単な説明】
【００３８】
【図１】［００３８］処理システムを採用する装置に関するハードウェア実装の例を示したブロック図である。
【図２】［００３９］一例による直接的なペアリングのために利用することができる被ドッキング物、周辺機器、及びドッキングホストの簡略化されたブロック図である。
【図３】［００４０］一例によるドッキング環境を利用するワイヤレスドッキングシステムの簡略化された概略図である。
【図４】［００４１］一例による一体化されたワイヤレス充電器を有するワイヤレスドッキングホストを含むワイヤレスドッキング環境を例示した概略図である。
【図５】［００４２］一例によるワイヤレスドッキングホスト−充電器のコンポーネントのうちの一部を例示した簡略化されたブロック図である。
【図６】［００４３］一例によるワイヤレスホスト−充電器を含むワイヤレスドッキング環境に関する使用事例を示した呼流れ図である。
【図７】［００４４］一例によるワイヤレスドッキングホスト−ディスプレイ及び周辺機器としてのワイヤレス充電器を含むワイヤレスドッキング環境を例示した概略図である。
【図８】［００４５］一例によるワイヤレスドッキングホスト−ディスプレイのコンポーネントのうちの一部を例示した簡略化されたブロック図である。
【図９】［００４６］一例による周辺機器としてのワイヤレス充電器を含むワイヤレスドッキング環境に関する使用事例を示した呼流れ図である。
【図１０】［００４７］他の例による周辺機器としてのワイヤレス充電器を含むワイヤレスドッキング環境に関する使用事例を示した呼流れ図である。
【図１１】［００４８］一例によるワイヤレスドッキングホスト−充電器とのドッキングセッションを確立するプロセスを例示したフローチャートである。
【図１２】［００４９］他の例によるワイヤレスドッキングホスト−充電器とのドッキングセッションを確立するプロセスを例示したフローチャートである。
【図１３】［００５０］他の例によるワイヤレスドッキングホスト−充電器とのドッキングセッションを確立するプロセスを例示したフローチャートである。
【図１４】［００５１］一例によるワイヤレスドッキング環境を利用してワイヤレス充電器における無線充電機能をイネーブルにするプロセスを例示したフローチャートである。
【発明を実施するための形態】
【００３９】
［００５２］添付された図面と関係させて以下において示される発明を実施するための形態は、様々な構成に関して説明することが意図されており、ここにおいて説明される概念を実践することができる唯一の構成を表すことは意図されていない。発明を実施するための形態は、様々な概念に関する徹底的な理解を提供するための具体的な詳細を含む。しかしながら、これらの概念は、これらの具体的な詳細なしで実践できることが当業者にとって明らかになるであろう。幾つかの例においては、非常によく知られた構造及びコンポーネントは、該概念を曖昧にすることを回避するためにブロック図形で示される。
【００４０】
［００５３］図１は、処理システム１１４を採用する装置１００に関するハードウェア実装の例を示す概念図である。本開示の様々な概念により、要素、又は要素の一部、又は要素の組み合わせは、１つ以上のプロセッサ１０４を含む処理システム１１４とともに実装することができる。例えば、様々な態様においては、装置１００は、無線の被ドッキング物、ワイヤレスドッキングホスト、及び／又は周辺機器のうちの１つ以上を代表することができる。装置１００において利用することができるプロセッサ１０４の例は、本開示全体を通じて説明される様々な機能を実行するように構成されたマイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシン、ゲーテッド（ｇａｔｅｄ）ロジック、ディスクリートハードウェア回路、及びその他の適切なハードウェアを含む。
【００４１】
［００５４］この例においては、処理システム１１４は、バス１０２によって一般的に代表されるバスアーキテクチャを用いて実装することができる。バス１０２は、処理システム１１４の特定の用途及び全体的な設計上の制約事項に依存してあらゆる数の相互接続バス及びブリッジを含むことができる。バス１０２は、（プロセッサ１０４によって一般的に代表される）１つ以上のプロセッサと、メモリ１０５と、（コンピュータによって読み取り可能な媒体１０６によって一般的に代表される）コンピュータによって読み取り可能な媒体とを含む様々な回路をまとめてリンクする。バス１０２は、様々なその他の回路、例えば、タイミングソース、周辺機器、電圧調整器、及び電力管理回路、もリンクすることができ、それらは、当業においてよく知られており、従って、これ以上は説明されない。バスインタフェース１０８は、バス１０２とトランシーバ１１０との間のインタフェースを提供する。トランシーバ１１０は、送信媒体を通じて様々なその他の装置と通信するための手段を提供する。装置の性質に依存して、ユーザインタフェース１１２（例えば、キーパッド、ディスプレイ、スピーカー、マイク、ジョイスティック）も提供することができる。
【００４２】
［００５５］プロセッサ１０４は、バス１０２及び一般的処理を管理することを担当し、コンピュータによって読み取り可能な媒体１０６に格納されるソフトウェアの実行を含む。ソフトウェアは、プロセッサ１０４によって実行されたときには、特定の装置に関して後述される様々な機能を実行することを処理システム１１４に行わせる。コンピュータによって読み取り可能な媒体１０６は、ソフトウェアを実行時にプロセッサ１０４によって操作されるデータを格納するためにも使用することができる。
【００４３】
［００５６］処理システム内の１つ以上のプロセッサ１０４は、ソフトウェアを実行することができる。ソフトウェアは、広義では、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エキュセキュータブル（ｅｘｅｃｕｔａｂｌｅ）、実行スレッド、プロシージャ、関数、等を意味すると解釈されるべきであり、ソフトウェア、ファームウェア、ミドルウェア、マイクロコード、ハードウェア記述言語、又はその他のいずれの名前で呼ばれるかを問わない。コンピュータによって読み取り可能な媒体１０６は、非一時的なコンピュータによって読み取り可能な媒体であることができる。
【００４４】
非一時的なコンピュータによって読み取り可能な媒体は、例として、磁気記憶装置（例えば、ハードディスク、フロッピー（登録商標）ディスク、磁気ストリップ）、光ディスク（例えば、コンパクトディスク（ＣＤ）又はデジタルバーサタイルディスク（ＤＶＤ））、スマートカード、フラッシュメモリデバイス（例えば、カード、スティック、又はキードライブ）、ランダムアクセスメモリ（ＲＡＭ）、読み取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、取り外し可能ディスク、及び、コンピュータによってアクセスして読み取ることができるソフトウェア及び／又は命令を格納するためのあらゆるその他の適切な媒体を含む。コンピュータによって読み取り可能な媒体は、例として、搬送波、送信ライン、及びコンピュータによってアクセスして読み取ることができるソフトウェア及び／又は命令を送信するためのあらゆるその他の適切な媒体を含むこともできる。コンピュータによって読み取り可能な媒体１０６は、処理システム１１４内に常駐すること、処理システム１１４の外部に存在すること、又は処理システム１１４を含む複数のエンティティにわたって分散させることができる。コンピュータによって読み取り可能な媒体１０６は、コンピュータプログラム製品において具現化することができる。例として、コンピュータプログラム製品は、パッケージング材料に入ったコンピュータによって読み取り可能な媒体を含むことができる。当業者は、特定の用途及び全体的システムに課せられた全体的なシステム上の制約事項に依存して本開示全体を通じて提示される説明される機能を実装する最良の方法を認識するであろう。
【００４５】
［００５７］本開示の１つ以上の態様は、ワイヤレスドッキングシステムに関するものである。ワイヤレスドッキングシステムは、シームレスな接続性を提供することができ、ポータブルデバイス、例えば、モバイルハンドセット、ＰＤＡ、タブレットコンピュータ、等が、被ドッキング物と各々の周辺機器との間でのワイヤ、ドッキングコネクタ、ＰＩＮコード又は精巧なペアリングプロセスを必要とせずに周辺機器のグループと接続することを可能にする。ドッキング環境における周辺機器は、１つのグループとして行動することができ、それらは、１回だけセットアップする必要がある。ドッキング環境では数多くの異なるタイプの周辺機器をサポートすることができ、レガシー周辺機器のブリッジを含む。理想的には、最良のリンク、プロトコル、及びＱｏＳが、各タイプの周辺機器の接続に関して自動的にセットアップされることになる。最良の接続は、用途（例えば、生産性、ビデオを観る、ゲームをする、等）、及び環境（例えば、ホームエンタープライズ、インターネットカフェ、等）に依存して選択することができる。ここで、既存のアプリケーションセッション／接続は、そのままにしておくことができる。
【００４６】
［００５８］図２は、本開示の幾つかの態様による、典型的な周辺機器２１０、典型的なドッキングホスト２２０、及び典型的な被ドッキング物２３０を例示した簡略化されたブロック図を含む。示される例においては、周辺機器２１０は、少なくとも１つのプロセッサ２１１と、少なくとも１つのプロセッサ２１１に通信可能な形で結合されたメモリ２１３と、少なくとも１つのプロセッサ２１１に通信可能な形で結合された通信インタフェース２１２と、任意選択の周辺機器機能回路２１４と、を含む。本開示の幾つかの態様においては、少なくとも１つのプロセッサ２１１は、上述されて図１において例示される処理システム１１４に含まれるプロセッサ１０４であることができる。同様に、メモリ２１２は、上述されて図１において例示されるメモリ１０５であることができる。
【００４７】
［００５９］本開示の様々な態様においては、通信インタフェース２１２は、ドッキングホスト２２０との通信のために構成されたワイヤレスインタフェースであることができる。例えば、通信インタフェース２１２は、ＩＥＥＥ８０２．１１規格の下で定義された規格の系統、ＩＥＥＥ８０２．１５．１“Ｂｌｕｅｔｏｏｔｈ”インタフェース（例えば、Ｂｌｕｅｔｏｏｔｈ  Ｌｏｗ  Ｅｎｅｒｇｙ（ＢＴＬＥ）規格に準拠して構成）、ＩＥＥＥ８０２．１５．４“ＺｉｇＢｅｅ”インタフェース、又はその他の適切な無線通信インタフェースのうちのいずれかと互換可能なＷｉ−Ｆｉインタフェースを含むことができる。当然のことであるが、周辺機器２１０の幾つかの例は、上述される又はその他の通信インタフェースのうちの２つ以上を含むことができる。さらに、周辺機器２１０内に含まれているときに、周辺機能回路２１４は、あらゆる数の方法で具現化することができ、例えば、ユーザインタフェース、ディスプレイ、マイク、スピーカー、ネットワークインタフェース、ワイヤレス充電器、等を含む。
【００４８】
［００６０］さらに、示される例においては、ドッキングホスト２２０は、少なくとも１つのプロセッサ２２１と、少なくとも１つのプロセッサ２２１に通信可能な形で結合された通信インタフェース２２２と、少なくとも１つのプロセッサ２２１に通信可能な形で結合されたメモリ２２３と、少なくとも１つのプロセッサ２２１に通信可能な形で結合されたホスト機能回路２２４と、を含む。本開示の幾つかの態様においては、少なくとも１つのプロセッサ２２１は、上述されて図１において例示される処理システム１１４に含まれるプロセッサ１０４であることができる。同様に、メモリ２２３は、上述されて図１において例示されるメモリ１０５であることができる。
【００４９】
［００５９］本開示の様々な態様においては、通信インタフェース２２２は、ＩＥＥＥ８０２．１１規格の下で定義された規格の系統、ＩＥＥＥ８０２．１５．１“Ｂｌｕｅｔｏｏｔｈ”インタフェース（例えば、Ｂｌｕｅｔｏｏｔｈ  Ｌｏｗ  Ｅｎｅｒｇｙ（ＢＴＬＥ）規格に準拠して構成）、ＩＥＥＥ８０２．１５．４“ＺｉｇＢｅｅ”インタフェース、又はその他の適切な無線通信インタフェースのうちのいずれかと互換可能なＷｉ−Ｆｉインタフェースを含むことができる。当然のことであるが、ドッキングホスト２２０の幾つかの例は、上述される又はその他の通信インタフェースのうちの２つ以上を含むことができる。さらに、ドッキングホスト２２０内に含まれているときに、ホスト機能回路２２４は、あらゆる数の方法で具現化することができ、例えば、ユーザインタフェース、ディスプレイ、マイク、スピーカー、ネットワークインタフェース、ワイヤレス充電器、等を含む。
【００５０】
［００６２］さらに、示される例においては、被ドッキング物２３０は、少なくとも１つのプロセッサ２３１と、少なくとも１つのプロセッサ２３１に通信可能な形で結合された通信インタフェース２３２と、少なくとも１つのプロセッサ２３１に通信可能な形で結合されたメモリ２３３と、少なくとも１つのプロセッサ２３１に通信可能な形で結合されたユーザインタフェース２３４と、幾つかの例では、無線充電回路２３５と、を含む。本開示の幾つかの態様においては、少なくとも１つのプロセッサ２３１は、上述されて図１において例示される処理システム１１４に含まれるプロセッサ１０４であることができる。同様に、メモリ２３２は、上述されて図１において例示されるメモリ１０５であることができる。
【００５１】
［００６３］本開示の様々な態様においては、通信インタフェース２３２は、ＩＥＥＥ８０２．１１規格の下で定義された規格の系統、ＩＥＥＥ８０２．１５．１“Ｂｌｕｅｔｏｏｔｈ”インタフェース（例えば、Ｂｌｕｅｔｏｏｔｈ  Ｌｏｗ  Ｅｎｅｒｇｙ（ＢＴＬＥ）規格に準拠して構成）、ＩＥＥＥ８０２．１５．４“ＺｉｇＢｅｅ”インタフェース、又はその他の適切な無線通信インタフェースのうちのいずれかと互換可能なＷｉ−Ｆｉインタフェースを含むことができる。当然のことであるが、被ドッキング物２３０の幾つかの例は、上述される又はその他の通信インタフェースのうちの２つ以上を含むことができる。
【００５２】
［００６４］本開示のさらなる態様においては、被ドッキング物２３０は、ユーザとワイヤレスドッキングシステムとの間の通信を可能にする入力／出力機能に関するユーザインタフェース２３４を含むことができる。示される、ただし非限定的な例として、被ドッキング物２３０は、スマートフォン又はタブレットデバイスとして具現化することができ、ユーザによる入力及び出力機能を提供するタッチ画面インタフェースを含む。さらに、被ドッキング物２３０における無線充電回路２３５は、適切な回路、例えば、限定することなしに、被ドッキング物２３０におけるバッテリの無線充電を可能にすることができる誘導コイル、共鳴回路、同調回路、及び／又はあらゆるその他の適切な回路、モジュール、又はコンポーネント、を含むことができる。
【００５３】
［００６５］ワイヤレスドッキングシステムは、ワイヤレス被ドッキング物とワイヤレスドッキング環境との間での無線接続を提供することができる。図３は、ワイヤレスドッキング環境３０６の一部として、ワイヤレスドッキングホスト２２０を通じて複数の周辺機器２１０、３１０と無線通信状態にある被ドッキング物２３０を含むワイヤレスドッキングシステム３００を例示する簡略化された概略図である。
【００５４】
［００６６］被ドッキング物２３０は、限定されることなしにＩＥＥＥ８０２．１１“Ｗｉ−Ｆｉ”を含むことができるあらゆる適切な通信プロトコルを利用してワイヤレスドッキング環境３０６に無線で接続することが可能なあらゆる適切なデバイスであることができる。ワイヤレスドッキング環境３０６に接続することによって、被ドッキング物２３０は、ワイヤレスドッキング環境３０６の一部である周辺機器２１０の各々に直接又は間接的に接続することができる。
【００５５】
［００６７］ワイヤレスドッキング環境３０６は、１つ以上の物理的デバイスのグループであり、１つ以上のワイヤレスドッキングホスト２２０と、１つ以上の周辺機器２１０と、を含む。ワイヤレスドッキング環境３０６は、あらゆる適切な構成又はトポロジーであることができ、例えば、まさにワイヤレスドッキングホスト２２０を含み、又は、１つ以上の周辺機器２１０を追加で含む。
【００５６】
［００６８］周辺機器２１０は、論理的な周辺機能を表すことができる。概して、周辺機能は、様々な適切なワイヤレスインタフェースのうちのいずれかを通じてワイヤレス被ドッキング物２３０が利用可能であるようにすることができるワイヤレスドッキングホスト２２０において実装されたＩ／Ｏ機能、又はワイヤレスドッキングホスト２２０を通じてワイヤレス被ドッキング物２３０が利用可能であるようにすることができる外部の周辺機器２１０内のＩ／Ｏ機能であることができ、外部の周辺機器をワイヤレスドッキングホスト２２０に直接接続することができる。周辺機器２１０は、幾つかの例では、ワイヤレスドッキングホスト２２０を通じてワイヤレス被ドッキング物２３０と通信するための有線及び／又は無線のインタフェースを有する物理的デバイスとして具現化することができる。幾つかの限定しない周辺機器の例は、例えば、ＨＤＭＩ（登録商標）又はＶＧＡを利用するＬＣＤモニタ又はその他の表示装置、適切な有線又は無線のインタフェース、例えば、ＵＳＢ、を利用するスピーカー、マイク、キーボード、マウス、プリンタ、スキャナ、カメラ、大量記憶装置、等、適切なＵＳＢ互換可能デバイスを結合するための汎用ＵＳＢポート又はハブ、ネットワークに結合するためのイーサネット（登録商標）、又は、あらゆるその他の適切なデバイスを含むことができる。
【００５７】
［００６９］例示においては、幾つかの周辺機器２１０は、ワイヤレスドッキング環境３０６において示され、追加の周辺機器３１０は、ワイヤレスドッキング環境３０６の外部において示されている。ここで、この追加の周辺機器３１０は、ワイヤレスドッキングホスト２２０と対にされている必ずしもすべての周辺機器２１０、３１０が特定のワイヤレスドッキング環境３０６に含まれているわけではないことを例示する。すなわち、ワイヤレスドッキングホスト２２０と関連するワイヤレスドッキング環境３０６は、ドッキングホスト２２０と対にされるか又はドッキングホスト２２０と通信状態にある周辺機器２１０、３１０の部分組のみを含むことができる。さらに、追加の周辺機器３１０は、数多くの追加の周辺機器３１０のうちの１つであることができ、さらに、ワイヤレスドッキングホスト２２０は、複数のワイヤレスドッキング環境、例えば、環境３０６、を提供することができる。ここで、特定のワイヤレスドッキング環境３０６における周辺機器２１０の組は、ゼロ以上のあらゆる数の周辺機器を含むことができ、さらに、幾つかの例では、特定の周辺機器２１０、３１０は、ゼロ、１つ、２つ、又はそれ以上の確立されたワイヤレスドッキング環境３０６において含めることができる。
【００５８】
［００７０］ワイヤレスドッキングホスト２２０は、ワイヤレス被ドッキング物２３０及び１つ以上の周辺機器２１０に接続することが可能なあらゆる適切なデバイスであることができる。例えば、ワイヤレスドッキングホスト２２０は、ドッキングホスト２２０に直接接続される外部の周辺機器２１０における周辺機能、及び、ワイヤレスドッキングホスト２２０自体が実装することができる周辺機能（例えば、ディスプレイ）をワイヤレス被ドッキング物が利用できるようにすることができる。
【００５９】
［００７１］ドッキングホスト２２０は、異なるドッキング経験又はドッキング環境３０６を異なる被ドッキング物２３０に提供することができる。例えば、ある所定の時間において、被ドッキング物２３０は、幾つかの周辺機能を特に必要になることがあり、ドッキングホスト２２０は、この必要性を知った時点で、対応するドッキング環境３０６をその被ドッキング物のために提供することができる。
【００６０】
［００７２］ドッキングホスト２２０が幾つかの異なる被ドッキング物２３０にこれらの能力を提供するための方法の一例は、ドッキングホスト２２０が複数のドッキング環境３０６を予め構成することである。すなわち、例えば、利用可能な周辺機器２１０のグループをランダムに選択することによって又はグループに分けられるべき幾つかの周辺機器を選択することによって、ドッキングホスト２２０において周辺機器２１０の複数のグループを予め構成することができる。ここで、各グループは、適切な周辺機器２１０を含む論理的グループであることができ、それらは、ドッキングホスト２２０によって手動で又は自動的に構成することができる。
【００６１】
［００７３］この例では、ドッキングホスト２２０は、それの取り付けられた及び／又は無線で対にされた周辺機器２１０を複数の階層的グループに分けることができ及び各被ドッキング物が１つのグループを使用するのを可能にすることができる。例えば、特定のドッキングホスト２２０が利用可能な周辺機器Ａ乃至Ｇを有すると仮定する。ここで、周辺機器Ａ、Ｂ、及びＣは、第１のグループに分けることができ、周辺機器Ｄ、Ｅ、Ｆ、及びＧは、第２のグループに分けることができる。このようにして、これらのグループは、互いに切り離された周辺機器のグループであることができる。他の例では、周辺機器Ａ、Ｂ、及びＣは、第１のグループに分けることができ、周辺機器Ｃ、Ｄ、及びＥは、第２のグループに分けることができる。このようにして、これらのグループは、周辺機器の重複を有することができる。
【００６２】
［００７４］階層的なグループ分類を用いることで、周辺機器の別々のグループは、互いに切り離されたグループであることができ、及び、別々のグループは、共通の親を有することができる。共通の親に関して、周辺機器Ａ、Ｂ、Ｃ、Ｄ、Ｅ、及びＦは、階層における親グループであることができ、階層の次のレベルにおいて、グループは、例えば、周辺機器Ａ、Ｂ、及びＣを第１のグループとして含むことができ、周辺機器Ｄ、Ｅ、及びＦを第２のグループとして含むことができる。周辺機器の該グループを利用することによって、各々の該グループは、上述される別々のワイヤレスドッキング環境３０６であるとみなすことができる。すなわち、特定のワイヤレスドッキングホスト２２０は、複数のワイヤレスドッキング環境３０６のうちのいずれかを特定のワイヤレス被ドッキング物に提供することができ、各ワイヤレスドッキング環境３０６は、複数の予め構成された階層的グループのうちの１つであることができる周辺機器の異なるグループを含む。
【００６３】
［００７５］上述されるように、ワイヤレス充電器は、当業において知られており、バッテリ式デバイスとワイヤレス充電器との間での物理的な取り付け又はプラグなしでバッテリ式デバイスを充電する能力を提供する。例えば、誘導式充電を利用することができ、ここにおいては、各デバイスにおける各々のコイル間の誘導式結合を通じて、ワイヤレス充電器内の一次コイルからバッテリ式デバイス内の二次コイルにエネルギーが伝達される。文献では、該デバイスは、誘導式充電又は該デバイスは、無接点エネルギー伝達デバイスと呼ぶこともできる。
【００６４】
［００７６］本開示の１つ以上の態様は、ワイヤレス充電器を含むワイヤレスドッキング環境３０６の使用及び性能に関するものである。例示することを目的として、ただし限定することなしに、ワイヤレス充電器を含むワイヤレスドッキング環境の機能が、以下において２つの具体例で説明される。図４乃至６において示される第１の例では、ワイヤレス充電器自体が、１つのユニットとしてワイヤレスドッキングホストと一体化されている。図７乃至１０において示される第２の例では、ワイヤレス充電器は、別個のドッキングホストと通信可能な形で結合された周辺機器である。
【００６５】
ワイヤレスドッキングホスト−充電器
［００７７］図４は、ホスト−充電器４０２を含む本開示の一態様を例示した簡略化された概略図である。ここで、ホスト−充電器４０２は、図２と関連させて上述されるワイヤレスドッキングホスト２２０を含むことができ、ホスト機能回路２２４は、無線充電回路、例えば、近くの被ドッキング物の無線充電を可能にするように構成された誘導式充電コイル、を少なくとも部分的に含むことができる。
【００６６】
［００７８］図４においてわかるように、典型的なドッキング環境を構成することができ、ここにおいて、ホスト−充電器４０２は、物理的ケーブルを通じてモニタ／ディスプレイ４０４に接続され、キーボード４０６及びマウス４０８は、ドッキングホスト４０２に無線接続される。この典型的な構成では、ディスプレイ４０４、キーボード４０６、及びマウス４０８は、ホスト−充電器４０２によって管理されるドッキング環境３０６における周辺機器２１０であることができる。以下においてさらに詳細に説明されるように、ハンドセット／被ドッキング物４１０は、それのバッテリを充電するために、及び、例示されるドッキング環境とのドッキングセッションに入るために、ホスト−充電器４０２に着座（ｌａｎｄ）することができる。ここで、被ドッキング物４１０は、図２に関連して上述される被ドッキング物２３０と同じであることができる。
【００６７】
［００７９］図５は、ホスト−充電器４０２の一例の追加の詳細を例示したブロック図である。ここで、ホスト−充電器４０２は、無線充電回路５０２と、メモリ５０４と、プロセッサ５０６と、ディスプレイに画像情報を提供するためのディスプレイインタフェース５０８と、１つ以上の無線周辺機器、例えば、キーボード４０６及び／又はマウス４０８、と通信するための無線周辺機器インタフェース５１０と、１つ以上のワイヤレス被ドッキング物４１０、２３０と通信するためのワイヤレス被ドッキング物インタフェース５１２と、を含む。一例においては、プロセッサ５０６及びメモリ５０４は、図２のドッキングホスト２２０において例示される対応するプロセッサ２２１及びメモリ２２３と同じであることができる。さらに、無線充電回路５０２は、ホスト機能回路２２４に含めることができ、ディスプレイインタフェース５０８、無線周辺機器インタフェース５１０、及びワイヤレス被ドッキング物インタフェース５１２は、通信インタフェース２２２と同じであることができる。
【００６８】
［００８０］図６は、本開示の一態様による、図４において例示されるドッキング環境における上述されるホスト−充電器４０２を利用して発生することができるイベントのシーケンスの例を示した呼流れ図である。
【００６９】
［００８１］最初に、ワイヤレス被ドッキング物４１０として構成することができるハンドセットを有するユーザが、ホスト−充電器４０２の近傍に入ることができる。ここで、被ドッキング物をホスト−充電器４０２上に置く前のある時間に、被ドッキング物４１０は、例えば、通信インタフェース２３２を利用することによって、ホスト−充電器４０２をホストとするワイヤレスドッキング環境の存在を検出すること、及び／又はドッキング環境のサービス、周辺機器、又はその他の特徴を発見又は識別するための様々な発見動作を行うことができる。これは、被ドッキング物４１０とホスト−充電器４０２のワイヤレスドッキングホスト機能との間での予関連付け発見信号６０２によって例示される。
【００７０】
［００８２］被ドッキング物４１０がホスト−充電器４０２に着座したときに、ホスト−充電器４０２における無線充電回路５０２と被ドッキング物４１０における無線充電回路２３５との間でワイヤレス充電器結合６０４を確立することができる。本開示の一態様においては、このワイヤレス充電器結合６０４の確立は、被ドッキング物４１０とホスト−充電器４０２との間でのドッキングセッションを確立するためのトリガとして利用することができる。ここで、この被ドッキング物４１０とホスト−充電器４０２との間でドッキングセッションが確立されるのが初めてである場合は、被ドッキング物４１０とホスト−充電器４０２との間での信用の認証及びデバイス間での関連付けを確立するために、最初のペアリング動作を行うことができる。
【００７１】
［００８３］ペアリングを確立するために、本開示の一態様においては、６０６において、被ドッキング物４１０は、ホスト−充電器４０２に着座した時点で自動的に信号用情報を取得することができる。例えば、信用情報は、適切な通信インタフェースを利用してホスト−充電器４０２から被ドッキング物４１０に送信することができる。ここで、信用情報は、ワイヤレス被ドッキング物インタフェース５１２を利用して（例えば、ＢＴＬＥ通信を利用して）ホスト−充電器４０２から被ドッキング物４１０に転送することができる。他の例においては、信用情報は、近接場通信のために構成することができる無線充電回路５０２を利用してホスト−充電器４０２から被ドッキング物４１０に転送することができる。被ドッキング物４１０において信用が入手された時点で、６０８において、被ドッキング物によって開始される認証／関連付け動作を被ドッキング物４１０とホスト−充電器４０２との間で行うことができ、ここにおいて、被ドッキング物４１０は、６０６において受信された信用情報を利用する。
【００７２】
［００８４］本開示の他の態様においては、ペアリングを確立するために、被ドッキング物４１０は、Ｗｉ−Ｆｉ単純構成（ＷＳＣ）手順を行うことができる。ここで、６１０において、ホスト−充電器４０２内の無線充電機能は、内部において、被ドッキング物４１０のドッキング意思をシグナリングするために、ホスト−充電器４０２内の組み込まれたワイヤレスドッキングホスト機能と通信することができる。この時点で、６１２において、ドッキングホストによって開始される認証／関連付け動作を被ドッキング物４１０とホスト−充電器４０２との間で行うことができる。
【００７３】
［００８５］ペアリングが完了された時点で、６１４において、ドッキングセッションの開始に対応して、被ドッキング物４１０における通信インタフェース２３２とホスト−充電器４０２における被ドッキング物のワイヤレスインタフェース５１２との間で無線接続が確立される。ここで、被ドッキング物のユーザは、ドッキング環境に対応する周辺機器（例えば、キーボード４０６、マウス４０８、及びディスプレイ４０４）を利用することを開始することができる。
【００７４】
［００８６］ドッキングセッションの継続期間中に、いずれの時においても、被ドッキング物４１０のユーザは、ドッキング解除手順を実施せずに、例えば、電話の呼び出しのために、被ドッキング物４１０を取り上げることができる。すなわち、被ドッキング物４１０がホスト−充電器４０２に着座されていなくても、本開示の一態様においては、被ドッキング物４１０における通信インタフェース２３２とホスト−充電器４０２における被ドッキング物のワイヤレスインタフェース５１２との間で無線接続を維持することができる。この時間中には、被ドッキング物４１０がホスト−充電器４０２から取り外される一方で、他のユーザが自己のハンドセットをホスト−充電器４０２に着座させることができる。一例においては、ホスト−充電器４０２における無線充電回路５０２は、機能し続けることができ、この第２のハンドセットを充電するのを可能にする。しかしながら、この例においては、ホスト−充電器４０２と第２のハンドセットとの間でドッキングセッションを確立させる必要がない。むしろ、ドッキングセッションは、被ドッキング物４１０とホスト−充電器４０２との間で維持することができる。従って、被ドッキング物４１０がホスト−充電器４０２に再び着座する場合は、ワイヤレス充電器カップリングを再確立することができ、ドッキングセッションが維持されている間における被ドッキング物４１０の充電を再び可能にする。
【００７５】
［００８７］第１のハンドセット３１０をドッキングセッションからドッキング解除するために、本開示の一態様においては、６１６において示されるように、被ドッキング物４１０のユーザは、例えば、被ドッキング物４１０におけるユーザインタフェース２３４を利用して、ホスト−充電器４０２からドッキングを解除するための明示の命令を実装することができる。当然のことであるが、他の例においては、ドッキングセッションを終了させるための該明示の命令を、ドッキング環境の１つ以上の周辺機器、例えば、キーボード４０６、マウス４０８、及び／又はディスプレイ４０４、を利用して実装することができる。
【００７６】
［００８８］本開示の他の態様においては、ユーザは、ハンドセット（すなわち、被ドッキング物４１０）を取り上げてホスト−充電器４０２の近傍から離れ、被ドッキング物４１０における通信インタフェース２３２とホスト−充電器２３２との間での通信を停止させることができる。本開示の一態様により、このトラフィックの不活動は、その結果として、ホスト−充電器４０２におけるトラフィック不活動タイマの時間切れになる。その結果、ホスト−充電器４０２は、ある一定の長さの時間（例えば、予め決定された長さの時間）の間はトラフィックの活動が存在せず、従って、６１８において、ドッキングホストによって開始されるドッキング解除手順が開始することができ、被ドッキング物４１０とホスト−充電器４０２との間のドッキングセッションを終了させる。
【００７７】
周辺機器としてのワイヤレス充電器
［００８９］図７は、ドッキング環境において周辺機器として機能するワイヤレス充電器７０２を含む本開示の他の態様を例示した簡略化された概略図である。例えば、ワイヤレス充電器７０２は、図２において例示される周辺機器２１０と同じであることができ、ここにおいて、周辺機能回路２１４は、上述される無線充電回路を少なくとも部分的に含む。
【００７８】
［００９０］本開示のさらなる態様においては、ドッキングホストは、モニタ／ディスプレイ７０４内に埋め込むこと、又は、モニタ／ディスプレイ７０４にその他の方法で取り付ける又は結合することができる。すなわち、今度は図８を参照し、本開示の態様によるワイヤレスドッキングホスト−ディスプレイ７０４は、表示装置８０２だけでなく、メモリ８０４及びドッキングホストの機能を実装するためのプロセッサ８０６と、ドッキングセッション中に１つ以上の被ドッキング物、例えば、被ドッキング物７１０、と通信するためのワイヤレス被ドッキング物インタフェース８０８と、１つ以上の周辺機器、例えば、ワイヤレス充電器７０２、キーボード７０６、及びマウス７０８、と通信するためのワイヤレス周辺機器インタフェース８１０と、を含むことができる。一例においては、プロセッサ８０６及びメモリ８０４は、図２のドッキングホスト２２０において例示される対応するプロセッサ２２１及びメモリ２２３と同じであることができる。さらに、ワイヤレス被ドッキング物インタフェース８０８及びワイヤレス周辺機器インタフェース８１０は、通信インタフェース２２２と同じであることができる。当然のことであるが、これは、例示目的で詳細に説明される一例であるにすぎず、本開示の適用範囲内の様々な例においては、ドッキングホストは、当業者に知られているあらゆる適切な方法でディスプレイと通信可能な形で結合することができる。
【００７９】
［００９１］図７を再度参照し、典型的なドッキング環境を構成することができ、ここにおいて、ホスト−ディスプレイ７０４は、ワイヤレス充電器７０２、キーボード７０６、及びマウス７０８を周辺機器として含むドッキング環境のホストであることができる。以下においてさらに詳細に説明されるように、ハンドセット／被ドッキング物７１０は、バッテリを充電するために、及び、例示されるドッキング環境とのドッキングセッションに入るために、周辺ワイヤレス充電器７０２に着座することができる。
【００８０】
［００９２］本開示の幾つかの態様により、被ドッキング物７１０をワイヤレス充電器７０２に着座させることによるドッキング環境の確立に関して少なくとも２つの異なる使用事例が存在することができる。第１の例では、図９において例示されるように、ワイヤレス充電器７０２は、被ドッキング物７１０がドッキングホスト−ディスプレイとドッキングするのを援助するために使用することができる。第２の例においては、被ドッキング物７１０によるワイヤレス充電器７０２の使用は、ドッキングホストによって権限が与えられる必要がある。
【００８１】
［００９３］図９は、本開示の一態様による、図７において例示されるドッキング環境における上述されるワイヤレス充電器７０２を利用して発生することができるイベントのシーケンスの第１の例を示した呼流れ図である。この例においては、このワイヤレスドッキングホスト（すなわち、ホスト−ディスプレイ７０４）によって提供されるワイヤレスドッキング環境における周辺機器としてワイヤレス充電器７０２を確立するために最初のドッキングセッションを利用することができ、１つの例示的な例として、ワイヤレス充電器７０４は、後続するドッキングセッションにおける充電のために被ドッキング物７１０によって利用される。
【００８２】
［００９４］周辺機器２１０として、ワイヤレス充電器７０２は、ワイヤレスドッキングホスト−ディスプレイ７０４と通信するための通信インタフェース（例えば、通信インタフェース２１２）を含むことができる。さらに、ホスト−ディスプレイ７０４は、例えば、ワイヤレス被ドッキング物インタフェース８０８を通じて、ワイヤレス充電器７０２がそれの周辺機器のうちの１つであることを被ドッキング物７１０に知らせることができる。さらに、被ドッキング物７１０は、例えば、ホスト−ディスプレイ７０４を通じて被ドッキング物７１０に通信されるように、検出されたワイヤレスドッキング環境において結合されたワイヤレス充電器７０２を識別するためにイネーブルにすることができる。さらに、被ドッキング物７１０は、後述されるように、ドッキングセッションを確立するためのトリガとして、ワイヤレス充電器７０２と結合する機能を含むことができる。
【００８３】
［００９５］今度は図９の呼流れ図を参照し、ワイヤレス充電器７０２は、９０２において例示されるように、ドッキング環境における周辺機器としてドッキングホスト７０４と対にされている状態が示されている。この時点で、最初のドッキングセッションを確立することができる。すなわち、被ドッキング物７１０を所有するユーザは、ワイヤレス充電器７０２の近傍に入ることができる。ここで、被ドッキング物７１０は、ホスト−ディスプレイ７０４をホストとするワイヤレスドッキング環境の存在を検出することができ、ここにおいて、上述されるように、ワイヤレスドッキング環境は、周辺機器としてのワイヤレス充電器７０２を含む。従って、９０４において、ドッキングホスト７０４とハンドセット７１０との間で予関連付け発見段階が生じることができる。上述されるように、予関連付け発見段階は、被ドッキング物７１０がホスト−ディスプレイ７０４をホストとするワイヤレスドッキング環境の存在を検出すること、及び／又は、例えば、通信インタフェース２３２を利用することによって、ドッキング環境のサービス、周辺機器、又はその他の特徴を発見又は識別するための様々な発見動作を行うことを含むことができる。
【００８４】
［００９６］ここで、この最初のドッキングセッションの確立は、この被ドッキング物７１０とこのホスト−ディスプレイ７０４との間でドッキングセッションが初めて確立されるものであるため、最初のペアリング動作を行うことができる。この目的のために、被ドッキング物７１０とホスト−ディスプレイ７０４との間での信用の認証及びデバイス間での関連付けを確立するために被ドッキング物７１０とホスト−ディスプレイ７０４との間で認証及び関連付け動作９０６を行うことができる。
【００８５】
［００９７］ドッキングセッション９０８が確立された時点で、被ドッキング物７１０は、ホスト−ディスプレイ７０４によって提供されるワイヤレスドッキング環境における周辺機器としてワイヤレス充電器７０２を記録することができ、それにより、被ドッキング物７１０は、ドッキングホストに接続された周辺機器（例えば、キーボード、マウス、ディスプレイ、及びワイヤレス充電器７０２）を使用するのを開始することができる。
【００８６】
［００９８］９１０において、被ドッキング物７１０は、例えば、ユーザが被ドッキング物７１０を取り上げて予め決定された長さの時間にわたってドッキングホストの近傍を離れることによって、又は、被ドッキング物７１０のユーザによって行われる明示のドッキング解除手順によって、上述されるようにホスト−ディスプレイとのドッキングを解除することができる。
【００８７】
［００９９］本開示の一態様においては、このドッキング環境情報が被ドッキング物７１０において格納され、ワイヤレス充電器７０２を含むドッキング環境は、永続的なドッキング環境であることができ、それの後続する確立は、以下において説明されるように、ワイヤレス充電器７０２への被ドッキング物７１０の着座によってトリガすることができる。
【００８８】
［００１００］この例では、ユーザは、後続して被ドッキング物７１０を持ってワイヤレス充電器７０２の近傍に近づくことができ、その時点で、予関連付け発見動作９１２は、上述されるように、被ドッキング物７１０とホスト−ディスプレイ７０４との間で再度生じることができる。ここで、被ドッキング物７１０及びホスト−ディスプレイ７０４は、上述されるように、ドッキングセッションを予め確立しているため、ワイヤレス充電器７０２は、ワイヤレスドッキング環境における周辺機器として被ドッキング物７１０において記録される。従って、被ドッキング物７１０がワイヤレス充電器７０２に着座した時点で、被ドッキング物７１０とワイヤレス充電器７０２との間でワイヤレス充電器結合９１４が生じ、被ドッキング物７１０は、上述されるように、最初のドッキングセッション中に被ドッキング物７１０において格納された信用情報を利用して、被ドッキング物によってトリガされる認証及び関連付け動作９１６を開始することができる。この時点で、被ドッキング物７１０とドッキングホスト７０４との間でドッキングセッション９１８が開始することができる。
【００８９】
［００１０１］永続的なドッキング環境の利用を含む上記の例は、その性質上単なる例示であるにすぎず、ドッキングセッションの確立を開始するためのトリガとしてのワイヤレス充電器７０２への被ドッキング物７１０の着座を利用する規範を限定することは意図されないことを当業者は認識するであろう。すなわち、ワイヤレス充電器７０２への被ドッキング物７１０の着座は、あらゆる適切なドッキングセッションの確立をトリガすることができ、限定することなしに、最初のドッキングセッション、後続するドッキングセッション、永続的なドッキングセッション、等を含む。
【００９０】
［００１０２］図１０は、本開示の他の態様による、図７において例示されるドッキング環境におけるワイヤレス充電器７０２の使用の際に生じることができるイベントのシーケンスの第２の例を示した呼流れ図である。
【００９１】
［００１０３］この例においては、ワイヤレス充電器７０２は、無線充電動作を可能にする前に被ドッキング物７１０との認証手続きを行うように構成することができる。この目的のために、後述されるように、被ドッキング物７１０は、ワイヤレス充電器７０２が被ドッキング物７１０を充電するのを可能にする前に、周辺機器としてのワイヤレス充電器７０２を含むドッキング環境を利用してドッキングセッションに入ることができる。すなわち、本開示の一態様により、ワイヤレス被ドッキング物７１０がワイヤレスドッキングホスト−ディスプレイ７０４とのドッキングセッションに入る時点までワイヤレス充電器７０２に対応する充電機能をディスエーブルにすることができる。このようにして、ワイヤレスドッキングホスト−ディスプレイ７０４は、被ドッキング物７１０を認証してワイヤレス充電器７０２を使用する権限を付与するために、ワイヤレス充電器７０２に関する信用登録器として動作することを可能にすることができる。
【００９２】
［００１０４］最後に、幾つかの例では、ワイヤレス充電器７０２は、ハンドセット７１０の充電を続けるべきかどうかを決定するために、ワイヤレスドッキングホスト７０４を検査してハンドセットのドッキング状態を決定するように要求することができる。
【００９３】
［００１０５］今度は図１０の呼流れ図を参照し、ワイヤレス充電器７０２は、１００２において例示されるように、ドッキング環境における周辺機器としてドッキングホスト７０４と対にされている状態が示されている。この時点で、ドッキングセッションを確立することができる。すなわち、被ドッキング物７１０を所有するユーザは、ホスト／モニタ７０４をホストとするワイヤレスドッキング環境の存在を検出することができ、ここにおいて、上述されるように、ワイヤレスドッキング環境は、周辺機器としてのワイヤレス充電器７０２を含む。従って、１００４において、ドッキングホスト７０４とハンドセット７１０との間で予関連付け発見段階が生じることができる。上述されるように、予関連付け発見段階は、被ドッキング物７１０がホスト−ディスプレイ７０４をホストとするワイヤレスドッキング環境の存在を検出すること、及び／又は、例えば、通信インタフェース２３２を利用することによって、ドッキング環境のサービス、周辺機器、又はその他の特徴を発見又は識別するための様々な発見動作を行うことを含むことができる。
【００９４】
［００１０６］１００６において、被ドッキング物７１０とホスト−ディスプレイ７０４との間での信用の認証及びデバイス間での関連付けを確立するために被ドッキング物７１０とホスト−ディスプレイ７０４との間で認証及び関連付け動作９０６を行うことができる。
【００９５】
［００１０７］ドッキングセッション１００８が確立された時点で、被ドッキング物７１０のユーザは、ドッキングホスト７０４に接続された周辺機器、例えば、キーボード、マウス、ディスプレイ、及びワイヤレス充電器、を利用するのを開始することができる。本開示の一態様では、ワイヤレス充電器７０２において機能を提供するために、１０１０において、ユーザが被ドッキング物７１０をワイヤレス充電器７０２に着座させた後に、ワイヤレス充電器７０２と被ドッキング物７１０との間でワイヤレス充電器リンク認証動作を行うことができる。例えば、ワイヤレス充電器７０２に着座した時点で被ドッキング物７１０とワイヤレス充電器７０２との間での通信が生じることができ、ここにおいて、通信は、ＮＦＣ又はその他の適切な通信を含むことができる。この通信は、例えば、無線充電機能を利用するための認証を被ドッキング物７１０から要求することを含むことができる。
【００９６】
［００１０８］ここで、１０１２において、信用登録器としてホスト−ディスプレイ７０４を利用する認証を行うことができ、ここにおいて、例えば、ワイヤレス充電器７０２は、被ドッキング物７１０に対応する信用情報をホスト−ディスプレイ７０４に要求することができる。ここで、ホスト−ディスプレイ７０４は、被ドッキング物７１０に対応する信用情報をワイヤレス充電器７０２に提供し、ワイヤレス充電器７０２における無線充電機能に関する権限が被ドッキング物７１０に付与されていることを示すことができる。
【００９７】
［００１０９］被ドッキング物７１０がワイヤレス充電器７０２によって認証された時点で、ワイヤレス充電器７０２と被ドッキング物７１０との間でのワイヤレス充電器結合１０１４を確立することができ、１０１６において、被ドッキング物７１０は、それのバッテリを充電することができる。
【００９８】
［００１１０］図１１乃至１４は、本開示の様々な態様による、ワイヤレス充電器を含むドッキング環境とのドッキングセッションを確立するための幾つかの典型的なプロセスを例示したフローチャートである。
【００９９】
［００１１１］例えば、図１１は、図４において例示されるように被ドッキング物４１０及びドッキングホスト−充電器４０２によって動作可能であるプロセスを示す。例示されるプロセス１１００では、ステップ１１０２において、被ドッキング物４１０が各々の通信インタフェース（例えば、Ｗｉ−Ｆｉ、ＢＴＬＥ、又はその他の適切な無線通信技術）のおかげでワイヤレスドッキングホスト−充電器４０２に近づくのに応じて、予関連付け発見段階が生じることができ、ここにおいて、被ドッキング物４１０は、ホスト−充電器４０２をホストとするワイヤレスドッキング環境の存在を検出すること、及び／又は、ドッキング環境のサービス、周辺機器、又はその他の特徴を発見又は識別するための様々な発見動作を行うことができる。この発見手順中に、又はその完了後に、ステップ１１０４において、被ドッキング物４１０は、ホスト−充電器４０２のワイヤレス充電器部分に着座することができる。例えば、ユーザは、ホスト−充電器４０２が位置する部屋に入った後に、例えば、被ドッキング物のバッテリを充電すること及び／又は関連するドッキング環境において１つ以上の周辺機器を利用することを意図して、所有する被ドッキング物をホスト−充電器４０２のワイヤレス充電器部分に置くことができる。
【０１００】
［００１１２］ホスト−充電器４０２における被ドッキング物４１０の着座に応じて、ステップ１１０６において、ワイヤレスドッキングホスト−充電器４０２は、被ドッキング物４１０に信用情報を送信することができる。一例においては、ワイヤレスドッキングホスト−充電器４０２は、被ドッキング物４１０に信用情報を送信するために被ドッキング物ワイヤレスインタフェース５１２を利用することができる。例えば、ステップ１１０２において上述される予関連付け発見段階は、信用情報を搬送することができるチャネルを確立することができる。他の例においては、ワイヤレスドッキングホスト−充電器４０２は、被ドッキング物４１０に信用情報を送信するためにそれの無線充電回路を利用することができ、それは、ＮＦＣに関して構成することができる。
【０１０１】
［００１１３］ステップ１１０８において、被ドッキング物４１０は、ワイヤレスドッキングホスト−充電器４０２に信用情報（又はそれに対応する情報）を戻すことができ、ステップ１１１０において、ワイヤレスドッキングホスト−充電器は、受信された信用情報に従って被ドッキング物４１０を適切なドッキング環境とドッキングさせることができる。すなわち、ステップ１１０６において受信された信用情報を利用することによって、被ドッキング物４１０は、ワイヤレスドッキングホスト−充電器４０２とセキュアなドッキング環境を確立するために認証／関連付け動作を開始することができる。
【０１０２】
［００１１４］図１２は、図４において例示されるように被ドッキング物４１０及びドッキングホスト−充電器４０２によって動作可能である他のプロセスを示す。例示されるプロセス１２００では、ステップ１２０２において、被ドッキング物４１０が各々の通信インタフェース（例えば、Ｗｉ−Ｆｉ、ＢＴＬＥ、又はその他の適切な無線通信技術）のおかげでワイヤレスドッキングホスト−充電器４０２に近づくのに応じて、予関連付け発見段階が生じることができ、ここにおいて、被ドッキング物４１０は、ホスト−充電器４０２をホストとするワイヤレスドッキング環境の存在を検出すること、及び／又は、ドッキング環境のサービス、周辺機器、又はその他の特徴を発見又は識別するための様々な発見動作を行うことができる。この発見手順中に、又はその完了後に、ステップ１２０４において、被ドッキング物４１０は、ホスト−充電器４０２のワイヤレス充電器部分に着座することができる。例えば、ユーザは、ホスト−充電器４０２が位置する部屋に入った後に、例えば、被ドッキング物のバッテリを充電すること及び／又は関連するドッキング環境において１つ以上の周辺機器を利用することを意図して、所有する被ドッキング物をホスト−充電器４０２のワイヤレス充電器部分に置くことができる。
【０１０３】
［００１１５］ホスト−充電器４０２における被ドッキング物４１０の着座に応じて、ステップ１２０６において、ホスト−充電器４０２における無線充電回路５０２は、被ドッキング物４１０における無線充電インタフェースと結合することができる。さらに、ステップ１２０８において、ワイヤレスドッキングホスト−充電器４０２における無線充電回路５０２は、被ドッキング物４１０のドッキング意思を示す情報をワイヤレスドッキングホスト−充電器４０２におけるドッキング回路（例えば、プロセッサ５０６）に送信することができる。例えば、あらゆる適切な情報が被ドッキング物４１０のドッキング意思を示すことができ、例えば、ドッキング意思を示すように構成される情報要素及び／又は被ドッキング物４１０に対応するその他の情報、又は、ホスト−充電器４０２がドッキング意思を示すとみなすことができるあらゆる適切なシンボルである。従って、ステップ１２１０において、被ドッキング物４１０は、被ドッキング物４１０のドッキング意思に従ってドッキング環境とドッキングすることができる。
【０１０４】
［００１１６］図１３は、図７において示されるように被ドッキング物７１０及びワイヤレスドッキングホスト（例えば、ホスト−ディスプレイ７０４）によって動作可能なプロセスを説明する。例示されるプロセス１３００では、ステップ１３０２において、ワイヤレス充電器７０２とワイヤレスドッキングホスト−ディスプレイ７０４との間でペアリングを確立することができる。従って、ドッキングホストは、適切なドッキング環境において周辺機器として使用するために利用可能なワイヤレス充電器７０２を有することができる。
【０１０５】
［００１１７］ステップ１３０４において、ワイヤレス被ドッキング物７１０は、ワイヤレスドッキングホスト−ディスプレイ７０４と第１の（最初の）ドッキングセッションを確立することができる。図９に関連して上述されるように、最初のドッキングセッションの確立は、予関連付け発見と、被ドッキング物７１０とドッキングホスト７０４との間での認証及び関連付けと、ドッキングと、を含むことができる。従って、ステップ１３０６において、被ドッキング物７１０は、ドッキングセッションに従って信用情報を格納することができる。その後、ステップ１３０８において、ユーザが被ドッキング物７１０を持って離れることで不活動タイマを時間切れにすることに基づいて、又はユーザが命令を通じてドッキングセッションを終了させることに基づいて、最初のドッキングセッションが終了することができる。
【０１０６】
［００１１８］ステップ１３１０において、ユーザは、被ドッキング物７１０を持って戻ることができ、及び、被ドッキング物７１０をワイヤレス充電器に着座させ、それによって、被ドッキング物における無線充電インタフェースを利用してワイヤレス充電器との結合を確立することができる。ステップ１３１２において、被ドッキング物７１０は、ワイヤレス充電器への着座に応じてドッキングホスト７０２に格納されている信用情報を送信することができる。例えば、被ドッキング物７１０は、格納された信用情報の送信のためにそれのワイヤレスドッキングホストインタフェースを利用することができる。それによって、被ドッキング物７１０は、送信された信用情報に従い、周辺機器としてのワイヤレス充電器を含むドッキング環境とドッキングすることができる。
【０１０７】
［００１１９］図１４は、図７において示されるように被ドッキング物７１０及びワイヤレスドッキングホスト（例えば、ホスト−ディスプレイ７０４）によって動作可能な他のプロセスを説明する。例示されるプロセス１４００では、ステップ１４０２において、ワイヤレス充電器７０２とワイヤレスドッキングホスト−ディスプレイ７０４との間でペアリングを確立することができる。従って、ドッキングホストは、適切なドッキング環境において周辺機器として使用するために利用可能なワイヤレス充電器７０２を有することができる。
【０１０８】
［００１２０］ステップ１４０４において、ワイヤレス被ドッキング物７１０は、ワイヤレスドッキングホスト−ディスプレイ７０４とドッキングセッションを確立することができる。図１０に関連して上述されるように、ドッキングセッションの確立は、予関連付け発見と、被ドッキング物７１０とドッキングホスト７０４との間での認証及び関連付けと、ドッキングと、を含むことができる。
【０１０９】
［００１２１］ドッキングセッションが確立された時点で、ステップ１４０６において、被ドッキング物７１０は、ワイヤレス充電器７０２に着座することができる。従って、ステップ１４０８において、ワイヤレス充電器７０２は、被ドッキング物７１０がワイヤレス充電器７０２に着座したことを示す情報をドッキングホスト−ディスプレイ７０４に送信することができる。様々な例においては、ワイヤレス充電器７０２からドッキングホスト−ディスプレイ７０４に送信された情報は、あらゆる適切な通信インタフェースを利用してオーバー・ザ・エアで搬送することができ、限定することなしに、ＮＦＣのために構成されたワイヤレス被ドッキング物インタフェース８０８、又はＷｉ−Ｆｉ又はＢＴＬＥ通信のために構成されたワイヤレス周辺機器インタフェース８１０を含む。ステップ１４０８において送信された情報に応答して、ステップ１４１０において、ドッキングホスト−ディスプレイ７０４は、無線充電機能が認可されていることを示す権限を送信することができる。従って、ステップ１４１２において、ワイヤレス充電器７０２は、被ドッキング物物７１０を充電するための無線充電機能をイネーブルにすることができる。
【０１１０】
［００１２２］ワイヤレスドッキングシステムの幾つかの態様が、ＩＥＥＥ８０２．１１“Ｗｉ−Ｆｉ”通信プロトコルを利用するシステムを参照して提示されている。当業者が簡単に評価することになるように、本開示全体を通じて説明される様々な態様は、その他の通信システム、ネットワークアーキテクチャ及び通信規格に拡大することができる。採用される実際の電気通信規格、ネットワークアーキテクチャ、及び／又は通信規格は、特定の用途及びシステムに課せられた全体的な設計上の制約事項に依存する。
【０１１１】
［００１２３］開示される方法におけるステップの特定の順序又は階層は、典型的なプロセスを例示したものであることが理解されるべきである。設計上の選好に基づき、方法におけるステップの特定の順序又は階層は再編可能であることが理解される。添付される方法請求項は、様々なステップの要素を見本の順序で提示するものであり、特記がない限り、提示される特定の順序又は階層に限定されることは意味されない。
【０１１２】
［００１２４］前の説明は、当業者がここにおいて説明される様々な態様を実践するのを可能にするために提供される。これらの実施形態に対する様々な修正は、当業者にとって容易に明確になるであろう、及びここにおいて定められる一般原理は、その他の態様に対しても適用することができる。以上のように、請求項は、ここにおいて説明される態様に限定されることが意図されるものではなく、請求項の文言に一致する限りにおいて最も広範な適用範囲が認められるべきであり、ここにおいて、単数形の要素への言及は、特記がない限り“１つ及び１つのみ”を意味することは意図されておらず、むしろ“１つ以上を”意味する。その他の特記がない限り、表現“幾つか”は、１つ以上を意味する。“項目のリスト中の少なくとも１つ”に言及する句は、それらの項目のあらゆる組み合わせを意味し、単数を含む。一例として、“ａ、ｂ、又はｃのうちの少なくとも１つ”は、ａ、ｂ、ｃ、ａとｃ、ｂとｃ、及びａ、ｂ及びｃを網羅することが意図される。当業者に知られている又はのちに知られることになる、本開示全体を通じて説明される様々な態様の要素のすべての構造上及び機能上の同等物は、ここにおける引用によって明示でここに組み入れられており、請求項によって包含されることが意図される。さらに、ここにおいて開示されるいずれも、該開示が請求項において明示で記載されているかどうかにかかわらず、公衆に提供されたものではないことが意図される。いずれの請求項要素も、その要素が句“ための手段”を用いて明示で記述されていない限り、又は、方法請求項の場合は、その要素が句“ためのステップ”を用いて記述されていない限り、３５Ｕ．Ｓ．Ｃ．§１１２の第6段落の規定に基づいて解釈されるべきではない。
【図１】
2016504900.tif 000003
【図２】
2016504900.tif 000004
【図３】
2016504900.tif 000005
【図５】
2016504900.tif 000006
【図６】
2016504900.tif 000007
【図８】
2016504900.tif 000008
【図９】
2016504900.tif 000009
【図１０】
2016504900.tif 000010
【図１１】
2016504900.tif 000011
【図１２】
2016504900.tif 000012
【図１３】
2016504900.tif 000013
【図１４】
2016504900.tif 000014
【図４】
2016504900.tif 000015
【図７】
2016504900.tif 000016
【国際調査報告】
2016504900.tif 000017
2016504900.tif 000018